(57)【要約】【課題】ユーザの参加登録を安全に行うこと。【解決手段】記憶部は、端末装置を識別する機器情報とグループ情報とを関連付けたグループ機器情報を記憶する。機器情報取得部は、グループへの参加登録依頼を送信した端末装置の機器情報を取得する。グループ参加登録部は、機器情報取得部が取得した機器情報と、グループ機器情報とに基づいて、参加ユーザのグループへの参加登録を許可する。【選択図】図２
2014071874.tif 000002
【特許請求の範囲】
【請求項１】
端末装置を識別する機器情報とグループ情報とを関連付けたグループ機器情報を記憶する記憶部と
グループへの参加登録依頼を送信した端末装置の機器情報を取得する機器情報取得部と、
前記機器情報取得部が取得した機器情報と、前記グループ機器情報とに基づいて、前記グループに参加しようとしている参加ユーザの前記グループへの参加登録を許可するグループ参加登録部を備えること
を特徴とする管理サーバ装置。
【請求項２】
前記グループ参加登録部は、
前記端末装置から通知された参加登録依頼と、前記機器情報取得部が取得した前記機器情報と、前記グループ機器情報とに基づいて、前記グループ機器情報に登録された機器からの参加登録依頼の場合、参加登録を許可する参加判定部と、
前記参加判定部の参加登録を許可する場合に、前記グループに参加しようとしている前記参加ユーザのアカウント情報に基づいて、前記参加ユーザの前記グループへの参加を登録する参加登録部と
をさらに備えること
を特徴とする請求項１に記載の管理サーバ装置。
【請求項３】
前記グループに既に在籍している在籍ユーザのアカウント情報を認証する在籍ユーザ認証部と、
前記端末装置から通知された参加登録依頼と、前記在籍ユーザ認証部の認証結果と、前記機器情報取得部が取得した前記機器情報と、前記グループ機器情報とに基づいて、前記グループ機器情報に登録された機器からの参加登録依頼の場合、前記グループに参加しようとしている前記参加ユーザの参加登録を許可する参加判定部と、
前記参加判定部の参加登録を許可する場合に、前記参加ユーザのアカウント情報に基づいて、前記参加ユーザの前記グループへの参加を登録する参加登録部と
をさらに備えること
を特徴とする請求項１に記載の管理サーバ装置。
【請求項４】
前記グループ機器情報は、グループとユーザが関連付けられたグループユーザ情報と、前記ユーザと当該ユーザが利用した端末装置の機器情報とが関連付けられたユーザ機器情報とを含み、前記ユーザ機器情報で複数のユーザに関連づけられている機器情報であって、当該複数のユーザに関連づけられている機器情報が示す端末装置を前記複数のユーザの共有端末装置として、前記記憶部が記憶するユーザ機器情報を更新する更新部をさらに備えること
を特徴とする請求項２に記載の管理サーバ装置。
【請求項５】
前記機器情報取得部が前記共有端末装置を示す情報を取得した場合、前記ユーザに提供するサービスまたは機能を制限する制限部をさらに備えること
を特徴とする請求項４に記載の管理サーバ装置。
【請求項６】
ユーザ機器情報に既に記憶されている前記ユーザ機器情報から前記機器情報の削除要求を示す端末情報削除要求と、前記端末情報削除要求を送信した端末装置の機器情報とに基づき、前記記憶部に記憶された端末装置から取得した前記端末情報削除要求か否かを判定する端末装置種別判定部と、
前記端末情報削除要求と、削除対象の端末装置を示す削除端末選択情報とに基づき、該削除対象の端末装置の機器情報を記憶部から削除する更新部をさらに備えること
を特徴とする請求項１に記載の管理サーバ装置。
【請求項７】
前記グループユーザ情報に既に記憶されている前記グループユーザ情報からユーザ情報の削除要求を示すユーザ情報削除要求と、前記ユーザ情報削除要求を送信した端末装置の機器情報とに基づき、前記記憶部に記憶された端末装置から取得した前記ユーザ情報削除要求か否かを判定する端末装置種別判定部と、
前記ユーザ情報削除要求と、削除対象のグループを示す削除グループ選択情報とに基づき、該削除対象のグループ情報を記憶部から削除する更新部をさらに備えること
を特徴とする請求項１に記載の管理サーバ装置。
【請求項８】
端末装置と管理サーバ装置を備える参加登録システムであって、
端末装置を識別する機器情報とグループ情報とを関連付けたグループ機器情報を記憶する記憶部と
グループへの参加登録依頼を送信した端末装置の機器情報を取得する機器情報取得部と、
前記機器情報取得部が取得した機器情報と、前記グループ機器情報とに基づいて、参加ユーザの前記グループへの参加登録を許可するグループ参加登録部を備えること
を特徴とする参加登録システム。
【請求項９】
端末装置を識別する機器情報とグループ情報とを関連付けたグループ機器情報を記憶する記憶手順と
グループへの参加登録依頼を送信した端末装置の機器情報を取得する機器情報取得手順と、
前記機器情報取得手段が取得した機器情報と、前記グループ機器情報とに基づいて、参加ユーザの前記グループへの参加登録を許可するグループ参加登録手順と
を有することを特徴とする参加登録方法。
【請求項１０】
コンピュータに、
端末装置を識別する機器情報とグループ情報とを関連付けたグループ機器情報を記憶する記憶ステップと、
グループへの参加登録依頼を送信した端末装置の機器情報を取得する機器情報取得ステップと、
前記機器情報取得手段で取得した機器情報と、前記グループ機器情報とに基づいて、参加ユーザの前記グループへの参加登録を許可するグループ参加登録ステップと、
を実行させるための参加登録プログラム。
【発明の詳細な説明】
【技術分野】
【０００１】
本発明は、管理サーバ装置、参加登録システム、参加登録方法、参加登録プログラムに関する。
【背景技術】
【０００２】
近年、ソーシャルネットワークの構築のできるサービスやウェブサイトが広く普及している。ソーシャルネットワークサービスは、趣味や嗜好、居住地域、グループといった友人、知人や他人との間のコミュニケーションを促進する場を提供するサービスである。
【０００３】
特許文献１に記載の技術は、複数のメンバ同士がネットワークを介してコミュニケーションを取るための複数のコミュニティを管理するコミュニティ管理方法である。複数のコミュニティのそれぞれ同士の関連を示す関連データを記憶手段に記憶させておき、コンピュータは、複数のコミュニティのうちのメンバになりたい希望コミュニティの指定を希望者の端末装置から受け付ける希望受付処理を実行する。コンピュータは、希望者を、希望受付処理によって受け付けた指定の希望コミュニティのメンバとして登録する第一の登録処理を実行する。コンピュータは、希望者を、複数のコミュニティのうちの、希望受付処理によって受け付けた指定の希望コミュニティに関連する他のコミュニティのメンバとして登録する第二の登録処理を、関連データに基づいて実行する。
【０００４】
また、特許文献２に記載の技術は、同一グループに属する複数のユーザアカウント間でそれぞれ端末を介して情報の送受信を行うことによりグループ単位で情報を共有化する情報共有装置である。情報共有装置は、いずれかの端末から送信された新規ユーザアカウントの既存グループへの参加要求を受信する。情報共有装置は、各グループのグループアカウントと各グループに属する各ユーザアカウントとをグループアカウントおよびユーザアカウントの登録履歴情報とともに記憶するアカウント記憶装置から、参加要求に示された既存グループに属するユーザアカウントをすべて抽出する。情報共有装置は、抽出された各ユーザアカウントが今までに属したことのあるグループのグループアカウントを登録履歴情報に基づきアカウント記憶装置からすべて抽出する。情報共有装置は、抽出した各グループアカウントのグループに属するユーザアカウントをアカウント記憶装置からすべて抽出する。情報共有装置は、抽出したユーザアカウント群の中に新規ユーザアカウントが含まれているか否かを判定する。情報共有装置は、判定の結果、新規ユーザアカウントがユーザアカウント群に含まれている場合のみ、新規ユーザアカウントの既存グループへの登録処理を行うものである。
【先行技術文献】
【特許文献】
【０００５】
【特許文献１】特開２００９−１７５７９９号公報
【特許文献２】特開２００５−２５０７９２号公報
【発明の概要】
【発明が解決しようとする課題】
【０００６】
しかしながら、特許文献１に記載の技術または特許文献２に記載の技術を用いても、あるユーザが他ユーザになりすまし、グループ（コミュニティ）に参加登録してしまうという問題あった。
【０００７】
本発明は上記の点に鑑みてなされたものであり、ユーザの参加登録を安全に行うことができる管理サーバ装置、参加登録システム、参加登録方法、参加登録プログラムを提供することを課題とする。
【課題を解決するための手段】
【０００８】
（１）本発明は上記の課題を解決するためになされたものであり、本発明の一態様は、管理サーバ装置であって、端末装置を識別する機器情報とグループ情報とを関連付けたグループ機器情報を記憶する記憶部とグループへの参加登録依頼を送信した端末装置の機器情報を取得する機器情報取得部と、前記機器情報取得部が取得した機器情報と、前記グループ機器情報とに基づいて、参加ユーザの前記グループへの参加登録を許可するグループ参加登録部を備えることを特徴とする。
【０００９】
（２）また、本発明の一態様は、（１）に記載の管理サーバ装置であって、前記グループ参加登録部は、前記端末装置から通知された参加登録依頼と、前記機器情報取得部が取得した前記機器情報と、前記グループ機器情報とに基づいて、前記グループ機器情報に登録された機器からの参加登録依頼の場合、参加登録を許可する参加判定部と、前記参加判定部の参加登録を許可すると判定した場合に、参加ユーザのアカウント情報に基づいて、前記参加ユーザの前記グループへの参加を登録する参加登録部とをさらに備えることを特徴とする。
【００１０】
（３）また、本発明の一態様は、（２）記載の管理サーバ装置であって、前記グループに既に在籍している在籍ユーザのアカウント情報を認証する在籍ユーザ認証部をさらに備え、
前記端末装置から通知された参加登録依頼と、前記在籍ユーザ認証部の認証結果と、前記機器情報取得部が取得した前記機器情報と、前記グループ機器情報とに基づいて、前記グループ機器情報に登録された機器からの参加登録依頼の場合、参加登録を許可する参加判定部と、前記参加判定部の参加登録を許可すると判定した場合に、前記参加ユーザのアカウント情報に基づいて、前記参加ユーザの前記グループへの参加を登録する参加登録部とをさらに備えることを特徴とする。
【００１１】
（４）また、本発明の一態様は、（１）に記載の管理サーバ装置であって、前記グループ機器情報は、グループと在籍ユーザが関連付けられたグループユーザ情報と、ユーザと当該ユーザが利用した端末装置の機器情報とが関連付けられたユーザ機器情報とを含み、前記ユーザ機器情報で複数のユーザに関連づけられている機器情報であって、当該複数のユーザに関連づけられている機器情報が示す端末装置を前記複数ユーザの共有端末装置として、前記記憶部が記憶するユーザ機器情報を更新する更新部をさらに備えることを特徴とする。
【００１２】
（５）また、本発明の一態様は、（４）に記載の管理サーバ装置であって、前記機器情報取得部が前記共有端末装置情報を取得した場合、前記ユーザに提供するサービスまたは機能を制限する制限部をさらに備えることを特徴とする。
【００１３】
（６）また、本発明の一態様は、（５）に記載の管理サーバ装置であって、ユーザ機器情報に既に記憶されている前記ユーザ機器情報から前記機器情報の削除要求を示す端末情報削除要求と、前記端末情報削除要求を送信した端末装置の機器情報とに基づき、前記記憶部に記憶された端末装置から取得した前記端末情報削除要求か否かを判定する端末装置種別判定部と、前記端末情報削除要求と、削除対象の端末装置を示す削除端末選択情報とに基づき、該削除対象の端末装置の機器情報を記憶部から削除する更新部をさらに備えることを特徴とする。
【００１４】
（７）また、本発明の一態様は、（１）に記載の管理サーバ装置であって、前記グループユーザ情報に既に記憶されている前記グループユーザ情報から前記ユーザ情報の削除要求を示すユーザ情報削除要求と、前記ユーザ情報削除要求を送信した端末装置の機器情報とに基づき、前記記憶部に記憶された端末装置から取得した前記ユーザ情報削除要求か否かを判定する端末装置種別判定部と、前記ユーザ情報削除要求と、削除対象のグループを示す削除グループ選択情報とに基づき、該削除対象のグループ情報を記憶部から削除する更新部をさらに備えることを特徴とする。
【００１５】
（８）また、本発明の一態様は、参加登録システムであって、端末装置と管理サーバ装置を備える参加登録システムであって、端末装置を識別する機器情報とグループ情報とを関連付けたグループ機器情報を記憶する記憶部と、グループへの参加登録依頼を送信した端末装置の機器情報を取得する機器情報取得部と、前記機器情報取得部が取得した機器情報と、前記グループ機器情報とに基づいて、参加ユーザの前記グループへの参加登録を許可するグループ参加登録部を備えることを特徴とする。
【００１６】
（９）また、本発明の一態様は、参加登録方法であって、端末装置を識別する機器情報とグループ情報とを関連付けたグループ機器情報を記憶する記憶手段と、グループへの参加登録依頼を送信した端末装置の機器情報を取得する機器情報取得手段と、前記機器情報取得手段が取得した機器情報と、前記グループ機器情報とに基づいて、参加ユーザの前記グループへの参加登録を許可するグループ参加登録手段とを有することを特徴とする。
【００１７】
（１０）また、本発明の一態様は、参加登録プログラムであって、コンピュータに、端末装置を識別する機器情報とグループ情報とを関連付けたグループ機器情報を記憶する記憶手段と、グループへの参加登録依頼を送信した端末装置の機器情報を取得する機器情報取得手段と、前記機器情報取得手段で取得した機器情報と、前記グループ機器情報とに基づいて、参加ユーザの前記グループへの参加登録を許可するグループ参加登録手段と、を実行させる。
【発明の効果】
【００１８】
本発明によれば、ユーザの参加登録を安全に行うことができる。
【図面の簡単な説明】
【００１９】
【図１】本発明の第１の実施形態に係る参加登録システムの構成の一例を示す概念図である。
【図２】本実施形態に係る参加登録方法の一例を示す概念図である。
【図３】本実施形態に係る端末装置の構成の一例を示す概略ブロック図である。
【図４】本実施形態に係る管理サーバ装置の構成の一例を示すブロック図である。
【図５】本実施形態に係るアカウント情報記憶部が記憶するアカウント情報テーブルの一例を示すテーブルである。
【図６】本実施形態に係るユーザ機器情報記憶部が記憶するユーザ機器情報テーブルの一例を示すテーブルである。
【図７】本実施形態に係るグループユーザ情報記憶部が記憶するグループユーザ情報テーブルの一例を示すテーブルである。
【図８】本実施形態に係る管理サーバ装置のグループ生成部の構成の一例を示す概略ブロック図である。
【図９】本実施形態に係る管理サーバ装置のグループ参加登録部の構成の一例を示す概略ブロック図である。
【図１０】本実施形態に係る管理サーバ装置のサービス提供部の構成の一例を示す概略ブロック図である。
【図１１】本実施形態に係る管理サーバ装置のグループ生成部の動作の一例を示すシーケンス図である。
【図１２】本実施形態に係る管理サーバ装置のグループ参加登録部の動作の一例を示すシーケンス図である。
【図１３】本実施形態に係るグループ生成に関する表示画面の表示態様の変化の一例を示す概念図である。
【図１４】本実施形態に係る参加ユーザの招待に関する表示画面の表示態様の変化の一例を示す概念図である。
【図１５】本発明の第２の実施形態に係る管理サーバ装置のグループ参加登録部の構成の一例を示す概略ブロック図である。
【図１６】本実施形態に係る管理サーバ装置のグループ参加登録部の動作の一例を示すシーケンス図である。
【図１７】本発明の第３の実施形態に係る管理サーバ装置の構成の一例を示すブロック図である。
【図１８】本実施形態に係る管理サーバ装置のグループ管理部の構成の一例を示す概略ブロック図である。
【図１９】本実施形態に係る管理サーバ装置のサービス提供部の構成の一例を示す概略ブロック図である。
【図２０】本発明の第４の実施形態に係る端末装置の構成の一例を示す概略ブロック図である。
【図２１】本実施形態に係る管理サーバ装置の構成の一例を示すブロック図である。
【図２２】本実施形態に係る管理サーバ装置のユーザ機器情報記憶部が記憶するユーザ機器情報テーブルの一例を示すテーブルである。
【図２３】本実施形態に係る管理サーバ装置のグループ管理部の構成の一例を示す概略ブロック図である。
【図２４】本実施形態に係る管理サーバ装置のグループ管理部の動作の一例を示すシーケンス図である。
【図２５】本発明の第５の実施形態に係る端末装置の構成の一例を示す概略ブロック図である。
【図２６】本実施形態に係る管理サーバ装置の構成の一例を示すブロック図である。
【図２７】本実施形態に係る管理サーバ装置のグループ管理部の構成の一例を示す概略ブロック図である。
【図２８】本実施形態に係る管理サーバ装置のグループ管理部の動作の一例を示すシーケンス図である。
【図２９】本実施形態に係る管理サーバ装置のグループ機器情報記憶部が記憶するグループ機器情報テーブルの一例を示すテーブルである。
【発明を実施するための形態】
【００２０】
（第１の実施形態）
以下、図面を参照しながら本発明の第１の実施形態について詳しく説明する。
図１は、本実施形態に係る参加登録システムＳ１の構成の一例を示す概念図である。
参加登録システムＳ１は、端末装置１と、管理サーバ装置２と、ホーム基地局装置３とを含んで構成される。端末装置１は、例えばスマートフォンである。端末装置１は、ネットワークＮ１を介して管理サーバ装置２と通信を行う。ホーム基地局装置３は、ネットワークＮ１を介して管理サーバ装置２と通信を行う。端末装置１は、その他に、ホーム基地局装置３およびネットワークＮ１を介して管理サーバ装置２と通信を行うことができる。ホーム基地局装置３は、端末装置１と、その他の機器、例えば、表示装置Ｄ１と、ゲーム機Ｄ２と、レコーダＤ３と、パーソナルコンピュータＤ４などの機器と通信を行う。ホーム基地局装置３は、例えば、無線ＬＡＮ（ラン：Ｌｏｃａｌ  Ａｒｅａ  Ｎｅｔｗｏｒｋ）のアクセスポイントや無線ルータなどのプライベートネットワークを形成するものであればよい。なお、本実施形態において端末装置１、管理サーバ装置２、ホーム基地局装置３の数は、一例であり、各々の数はこれに限定されない。
【００２１】
図２は、本実施形態に係る参加登録方法の一例を示す概念図である。図２の場面Ｓｅ１、場面Ｓｅ２および場面Ｓｅ３を参照して、本実施形態に係る参加登録方法を説明する。
場面Ｓｅ１において、グループに参加しようとしている参加ユーザＨ２のグループへの参加登録は、グループに既に登録されている在籍ユーザＨ１の端末装置１を参加ユーザＨ２に物理的に手渡しする。参加ユーザＨ２は、手渡しされた端末装置１を用いて、参加ユーザＨ２のグループへの参加登録を行う。これにより、参加登録システムＳ１は、ユーザの参加登録を安全に行うことができ、なりすましによる参加ユーザのグループへの参加を防ぐことができる。
【００２２】
場面Ｓｅ１において、在籍ユーザＨ１は、ユーザ情報Ｃ１が示す「ユーザ：ＡＡＡ」というアカウントを持っている。在籍ユーザＨ１は、グルーブ情報Ｃ２が示す「グループ：グループＡ」というグループに所属している。また、在籍ユーザＨ１の所持する端末装置１は、機器情報Ｃ３が示す「機器：ｄ１２３４」という機器情報を持っている。
参加ユーザＨ２は、参加ユーザ情報Ｃ４が示す「ユーザ：ＹＹＹ」というアカウントを持っている。参加ユーザＨ２がグループ「グループＡ」に参加する場合、場面Ｓｅ２に移る。
【００２３】
場面Ｓｅ２は、参加ユーザＨ２がグループ「グループＡ」に参加する場合の一例を示す場面である。
在籍ユーザＨ１は、グループに関連づけられた端末装置１を参加ユーザＨ２に手渡する。参加ユーザＨ２は、在籍ユーザＨ１の端末装置１からログインすることでグループへの参加登録が行われる。
【００２４】
場面Ｓｅ３は、参加ユーザがグループに参加した場合の一例を示す場面である。
参加ユーザＨ２のユーザ情報Ｃ５が示す「ユーザ：ＹＹＹ」のアカウントは、場面Ｓｅ２において、在籍ユーザＨ１の端末装置１からログインすることでグループ情報Ｃ６が示す「グループ：グループＡ」に参加登録される。参加ユーザＨ２のユーザ情報は、グループ情報に関連づけられる。
【００２５】
図３は、本実施形態に係る端末装置１の構成の一例を示す概略ブロック図である。
端末装置１は、送受信アンテナ１０１と、通信部１０２と、機器情報記憶部１０３と、入力部１０４と、出力部１０５と、制御部１１とを含んで構成される。端末装置１は、その他、無線通信における端末装置の一般的な公知の機能を有するが、説明および図示は省略する。
【００２６】
通信部１０２は、データの符号化／復号化、変調／復調、ＡＤ（Ａｎａｔｏｇ  ｔｏ  Ｄｉｇｉｔａｌ）／ＤＡ（Ｄｉｇｉｔａｌ  ｔｏ  Ａｎａｌｏｇ）変換、周波数変換、無線波によるデータ信号の送受信などの通信処理を行う。通信部１０２は、ネットワークＮ１と有線または無線を介して接続する。通信部１０２は、制御部１１から通信情報が入力されると、通信処理を行い、通信処理の行われたデータ信号を、ネットワークＮ１を介し、管理サーバ装置２に送信する。通信部１０２は、ネットワークＮ１を介して管理サーバ装置２から通信情報を受信すると、通信処理を行い、得られたデータを制御部１１に出力する。
機器情報記憶部１０３は、端末装置１の機器情報、例えば、端末装置１のＩＤ（識別子：Ｉｄｅｎｔｉｆｉｅｒ）を記憶している。
【００２７】
入力部１０４は、例えば、キーボート、マウス、タッチパネルなどの入力装置を備え、例えば、ユーザのアカウントＩＤやパスワードの入力や選択肢の選択などのユーザ操作情報を受け付ける。入力部１０４は、該ユーザ操作情報を制御部１１に出力する。
出力部１０５は、例えば、液晶ディスプレイ、プラズマディスプレイ、有機ＥＬディスプレイなどの表示装置を備える。これらの表示装置はタッチパネルと一体に構成されることができる。出力部１０５は、制御部１１から入力された出力データなどの出力情報をユーザに提示する。
【００２８】
制御部１１は、通信部１０２からデータ信号で構成される通信情報が入力されると、通信情報に対応する表示情報を生成する。制御部１１は、生成した表示情報を出力部１０５に出力する。制御部１１は、機器情報記憶部１０３から機器情報を読み出す。ここで、機器情報とは、例えば、機器ＩＤ、機器に搭載されたＩＣ（Ｉｎｔｅｇｒａｔｅｄ  Ｃｉｒｃｕｉｔ：集積回路）カードの識別情報、機器の製造番号情報などのことである。制御部１１は、読み出した機器情報を通信部１０２に出力する。制御部１１は、入力部１０４からユーザ操作情報が入力されると、通信情報を生成する。制御部１１は、生成した通信情報を通信部１０２に出力する。通信情報は、例えば、ユーザ認証要求、グループ生成依頼、参加者登録依頼などのことである。
以下では、用語「データ」を用いる代わりに、データの示す内容である「情報」という用語を用いることがある。また、データの示す内容が具体的であるときは「情報」という用語を省略することがある。
【００２９】
制御部１１は、ユーザ認証要求部１１１と、グループ生成依頼部１１２と、参加者登録依頼部１１３とを含んで構成される。
ユーザ認証要求部１１１は、入力部１０４からユーザ操作情報が入力されると、ユーザ認証要求を生成する。ユーザ認証要求部１１１は、生成したユーザ認証要求を通信部１０２に出力する。ユーザ認証要求部１１１は、通信部１０２から入力依頼が入力されると、ユーザＩＤおよびパスワードの入力を要求する表示情報を出力部１０５に出力する。
【００３０】
グループ生成依頼部１１２は、入力部１０４からユーザ操作情報が入力されると、グループ生成依頼を生成する。グループ生成依頼部１１２は、生成したグループ生成依頼を通信部１０２に出力する。
参加者登録依頼部１１３は、入力部１０４からユーザ操作情報が入力されると、参加者登録依頼を生成する。参加者登録依頼部１１３は、生成した参加者登録依頼を通信部１０２に出力する。参加者登録依頼部１１３は、通信部１０２から参加可能な候補グループ情報が入力されると、候補グループ情報の選択を要求する表示情報を出力部１０５に出力する。参加者登録依頼部１１３は、入力部１０４から入力された希望するグループを示すユーザ操作情報が入力されると、グループ選択情報として通信部１０２に出力する。
【００３１】
図４は、本実施形態に係る管理サーバ装置２の構成の一例を示すブロック図である。
管理サーバ装置２は、受信部２０と、機器情報取得部２１と、記憶部２２と、ユーザ登録部２３と、グループ生成部２４と、グループ参加登録部２５と、サービス提供部２６と、送信部２７とを含んで構成される。管理サーバ装置２は、その他、一般的な公知のサーバ装置の機能を備えるが、その図示および説明は省略する。
【００３２】
受信部２０は、データ信号の受信、周波数変換、復調、復号などの通信処理を行う。受信部２０は、ネットワークＮ１と有線または無線を介して接続する。受信部２０は、ネットワークＮ１を介して、端末装置１から機器情報を受信する。受信部２０は、受信した機器情報を機器情報取得部２１に出力する。受信部２０は、ネットワークＮ１を介して、端末装置１から受信したユーザ認証要求をユーザ登録部２３、グループ生成部２４に出力する。
【００３３】
受信部２０は、ネットワークＮ１を介して、端末装置１から受信したユーザ登録依頼をユーザ登録部２３に出力する。受信部２０は、端末装置１から受信したグループ生成依頼をグループ生成部２４に出力する。受信部２０は、端末装置１から受信したグループ選択情報をグループ参加登録部２５に出力する。受信部２０は、端末装置１から受信した参加者登録依頼をグループ参加登録部２５に出力する。
【００３４】
機器情報取得部２１は、受信部２０から入力された機器情報をユーザ登録部２３と、グループ生成部２４と、グループ参加登録部２５と、サービス提供部２６とに出力する。
記憶部２２は、ユーザ情報記憶部２２１と、グループユーザ情報記憶部２２２とを含んで構成される。
ユーザ情報記憶部２２１は、ユーザ情報、例えば、ユーザＩＤ、ユーザＩＤに関連づけられたパスワード、ユーザＩＤに関連づけられた機器情報などを記憶する。
【００３５】
ユーザ情報記憶部２２１は、アカウント情報記憶部２２１１と、ユーザ機器情報記憶部２２１２とを含んで構成される。アカウント情報記憶部２２１１は、アカウント情報、例えば、ユーザＩＤ、該ユーザＩＤに関連づけられたパスワードなどを記憶する。アカウント情報記憶部２２１１が記憶するアカウント情報テーブルＴ１の一例を図５に示す。
【００３６】
図５は、本実施形態に係るアカウント情報記憶部２２１１が記憶するアカウント情報テーブルＴ１の一例を示すテーブルである。
図示するように、アカウント情報テーブルＴ１は、ユーザＩＤ、ユーザ名、およびパスワードの各項目の列を有している。アカウント情報テーブルＴ１は、ユーザＩＤ毎にユーザ名と、パスワード情報とが格納される行と列からなる２次元の表形式のデータである。
例えば、１行目のユーザＩＤ「ｕ００１」には、ユーザ名「ＡＡＡ」と、パスワード「ｘｘｘｘｘ１」とが関連付けられて記憶されていることを表わしている。
【００３７】
ユーザ機器情報記憶部２２１２は、ユーザ機器情報、例えば、ユーザＩＤ、該ユーザＩＤに関連づけられた機器情報などを記憶する。ユーザ機器情報記憶部２２１２が記憶するユーザ機器情報テーブルＴ２の一例を図６に示す。
【００３８】
図６は、本実施形態に係るユーザ機器情報記憶部２２１２が記憶するユーザ機器情報テーブルＴ２の一例を示すテーブルである。
図示するように、ユーザ機器情報テーブルＴ２は、ユーザＩＤ、および機器情報の各項目の列を有している。ユーザ機器情報テーブルＴ２は、ユーザＩＤ毎に機器情報が格納される行と列からなる２次元の表形式のデータである。
例えば、１行目のユーザＩＤ「ｕ００１」には、機器情報「ｄ１２３４」が関連付けられて記憶されていることを表わしている。
【００３９】
グループユーザ情報記憶部２２２（図４）は、グループユーザ情報、例えば、ユーザＩＤ、グループＩＤ、グループ名、グループ種別などを記憶する。グループユーザ情報記憶部２２２が記憶するグループユーザ情報テーブルＴ３の一例を図７に示す。
【００４０】
図７は、本実施形態に係るグループユーザ情報記憶部２２２が記憶するグループユーザ情報テーブルＴ３の一例を示すテーブルである。
図示するように、グループユーザ情報テーブルＴ３は、ユーザＩＤ、グループＩＤ、グループ名およびグループの種別の各項目の列を有している。グループユーザ情報テーブルＴ３は、ユーザＩＤ毎にグループＩＤ、グループ名、およびグループ種別が格納される行と列からなる２次元の表形式のデータである。
例えば、１行目のユーザＩＤ「ｕ００１」には、グループＩＤ「ｇ００１」と、グループ名「グループＡ」、およびグループ種別「限定公開」が関連付けられて記憶されていることを表わしている。５行目のユーザＩＤ「ｕ００１」には、グループＩＤ「ｇ００２」と、グループ名「グループＢ」、およびグループ種別「非公開」が関連付けられて記憶されていることを表わしている。
【００４１】
図４に戻って、ユーザ登録部２３は、受信部２０からユーザ登録依頼を示すユーザ認証要求を受信すると、ユーザＩＤおよびパスワードなどのアカウント情報入力依頼画面情報を生成する。ユーザ登録部２３は、生成したアカウント情報入力依頼画面情報を送信部２７に出力する。ユーザ登録部２３は、受信部２０からユーザＩＤおよびパスワードを含むユーザ登録依頼を示すユーザ認証要求が入力されると、該ユーザＩＤおよび該パスワードをアカウント情報記憶部２２１１に記憶させる。ユーザ登録部２３は、機器情報取得部２１から取得したユーザの端末装置１の機器情報をユーザ機器情報記憶部２２１２に記憶する。ユーザ登録部２３は、ユーザ登録が完了すると、ユーザ登録完了通知を生成する。ユーザ登録部２３は、生成したユーザ登録完了通知を送信部２７に出力する。
【００４２】
グループ生成部２４は、機器情報取得部２１から入力された機器情報と、受信部２０から入力されたユーザ認証要求およびグループ生成依頼とに基づいてグループの生成を行い、これを記憶部２２に記憶させる。グループ生成部２４は、グループの生成を完了すると、グループ生成完了通知を生成する。グループ生成部２４は、生成したグループ生成完了通知を送信部２７に出力する。グループ生成部２４の詳細な説明は、後述する。
【００４３】
グループ参加登録部２５は、機器情報取得部２１から入力された端末装置１の機器情報に基づき、記憶部２２から機器情報に関連づいたグループ情報を読み出す。グループ参加登録部２５は、読み出したグループ情報に基づき、参加可能な候補グループ情報を送信部２７に出力する。グループ参加登録部２５は、受信部２０から参加を希望するグループを示すグループ選択情報と機器情報と、参加者登録依頼とに基づいて、グループに参加しようとしている参加ユーザのグループへの参加登録を行う。グループ参加登録部２５は、グループに参加しようとしている参加ユーザのユーザＩＤを記憶部２２に記憶させる。グループ参加登録部２５は、グループへの参加登録が完了すると、グループ参加登録完了通知を生成する。グループ参加登録部２５は、生成したグループ参加登録完了通知を送信部２７に出力する。グループ参加登録部２５の詳細な説明は、後述する。
【００４４】
サービス提供部２６は、ユーザに提供するサービス情報を生成し、生成したサービス情報を端末装置１に送信する。ユーザに提供するサービスは、例えば、グループ内掲示板サービス、体重や体調などの情報をグループ内で共有する健康管理サービス、位置情報を用いてユーザの現在位置をグループ内で共有する見守りサービス、会社内での共有フォルダの共有などの社内ネットワークサービス、サークル（同好会）などのグループ内での情報の共有する情報共有サービスなどである。サービス提供部２６の詳細な説明は、後述する。
【００４５】
送信部２７は、入力されたデータの符号化、変調、ＤＡ変換、周波数変換、無線波によるデータ信号の送信などの通信処理を行う。送信部２７は、ネットワークＮ１と有線または無線を介して接続する。送信部２７は、ユーザ登録部２３から入力された入力依頼を、ネットワークＮ１を介して、端末装置１に送信する。送信部２７は、ユーザ登録部２３から入力された更新完了通知を、ネットワークＮ１を介して、端末装置１に送信する。送信部２７は、グループ生成部２４から入力されたグループ生成完了通知を、ネットワークＮ１を介して、端末装置１に送信する。
【００４６】
送信部２７は、グループ参加登録部２５から入力された候補グループ情報を、ネットワークＮ１を介して、端末装置１に送信する。送信部２７は、グループ参加登録部２５から入力されたグループ参加登録完了通知を、ネットワークＮ１を介して、端末装置１に送信する。送信部２７は、サービス提供部２６から入力されたサービス情報を、ネットワークＮ１を介して、端末装置１に送信する。
【００４７】
図８は、本実施形態に係るグループ生成部２４の構成の一例を示す概略ブ
ロック図である。
グループ生成部２４は、在籍ユーザ認証部２４１と、生成部２４２と、通知生成部２４３とを含んで構成される。
在籍ユーザ認証部２４１は、受信部２０からサービスにアカウントを有する在籍ユーザのアカウント情報を含むユーザ認証要求が入力されると、アカウント情報記憶部２２１１からアカウント情報を読み出す。在籍ユーザ認証部２４１は、サービスにアカウントを有する在籍ユーザのアカウント情報が読み出したアカウント情報に登録されているか否かを判定する。サービスにアカウントを有する在籍ユーザのアカウント情報が、読み出したアカウント情報に登録されている場合、在籍ユーザ認証部２４１は、サービスにアカウントを有する在籍ユーザを認証し、グループを生成することを許可するグループ生成許可通知を生成する。一方、サービスにアカウントを有する在籍ユーザのアカウント情報が、読み出したアカウント情報に登録されていない場合、在籍ユーザ認証部２４１は、グループの生成を許可しないグループ生成不可通知を生成する。グループ生成部２４は、生成したグループ生成許可通知またはグループ生成不可通知を生成部２４２に出力する。
【００４８】
生成部２４２は、在籍ユーザ認証部２４１から入力されたグループ生成許可通知に基づいて、新規にグループを生成する。生成部２４２は、在籍ユーザ認証部２４１からグループ生成不可通知が入力されると、何もしない。
【００４９】
生成部２４２は、受信部２０から入力されたグループ名およびグループ種別を含むグループ生成依頼と、在籍ユーザ認証部２４１から入力されたグループ生成許可通知とに基づいて、グループを生成する。生成部２４２は、生成したグループのグループＩＤと生成した在籍ユーザＩＤとを関連付けてグループユーザ情報記憶部２２２に記憶させる。生成部２４２は、グループ生成を完了すると、グループ生成完了通知生成依頼を、通知生成部２４３に出力する。一方、在籍ユーザ認証部２４１からグループ生成不可通知が入力されると、生成部２４２は、グループの生成を行わず、通知生成部２４３にグループ生成不可通知を出力する。
【００５０】
なお、本実施形態において、在籍ユーザ認証部２４１は、サービスにアカウントを有する在籍ユーザのアカウント情報に基づいて、グループ生成許可通知を生成しているが、本発明は、これに限定されない。在籍ユーザ認証部２４１は、例えば、機器情報取得部２１からサービスにアカウントを有する在籍ユーザのユーザ情報に関連づけられた機器情報を取得し、ユーザ機器情報記憶部２２１２から該在籍ユーザに関連づけられた機器情報を読み出す。在籍ユーザ認証部２４１は、ユーザ機器情報記憶部２２１２から読み出した在籍ユーザに関連づけられた機器情報と、機器情報取得部２１から取得したサービスにアカウントを有する在籍ユーザの機器情報とに基づいて、該在籍ユーザが関連付けられた機器情報に対応する端末装置からの接続である場合に、グループを作成する権限を持つと判定する。在籍ユーザ認証部２４１は、該在籍ユーザが管理権限をもつと判定すると、グループ生成許可通知を生成し、生成部２４２に出力すればよい。
【００５１】
在籍ユーザ認証部２４１は、例えば、機器情報取得部２１からサービスにアカウントを有する在籍ユーザのユーザ情報に関連づけられた機器情報を取得する。在籍ユーザ認証部２４１は、ユーザ機器情報記憶部２２１２から取得したサービスにアカウントを有する在籍ユーザの機器情報に関連づけられたユーザ情報を読み出す。在籍ユーザ認証部２４１は、ユーザ機器情報記憶部２２１２から読み出した在籍ユーザの機器情報に関連づけられたユーザ情報と、機器情報取得部２１から取得したサービスにアカウントを有する在籍ユーザの機器情報とに基づいて、サービスにアカウントを有する在籍ユーザの機器情報が複数のユーザに関連付けられた機器情報であるか否かを判定し、複数ユーザに関連づけられた機器情報でない場合、すなわち、在籍ユーザのみに関連づけられた機器情報である場合に、グループを作成する権限を持つと判定する。在籍ユーザ認証部２４１は、該在籍ユーザが管理権限をもつと判定すると、グループ生成許可通知を生成し、生成部２４２に出力すればよい。
【００５２】
通知生成部２４３は、生成部２４２から入力されたグループ生成完了通知生成依頼に基づき、グループ生成完了通知を生成する。通知生成部２４３は、生成したグループ生成完了通知を送信部２７に出力する。通知生成部２４３は、生成部２４２から入力されたグループ生成不可通知に基づき、在籍ユーザの認証エラーメッセージを生成する。通知生成部２４３は、生成した認証エラーメッセージを送信部２７に出力する。
【００５３】
図９は、本実施形態に係るグループ参加登録部２５の構成の一例を示す概略ブロック図である。
グループ参加登録部２５は、在籍ユーザ認証部２５１と、参加判定部２５２と、グループ情報取得部２５３と、参加ユーザ認証部２５４と、参加登録部２５５と、通知生成部２５６とを含んで構成される。
【００５４】
在籍ユーザ認証部２５１は、受信部２０からグループに既に参加している在籍ユーザのアカウント情報が入力されると、アカウント情報記憶部２２１１からアカウント情報を読み出す。在籍ユーザ認証部２５１は、該在籍ユーザのアカウント情報が、読み出したアカウント情報に登録されているか否かを判定し、該在籍ユーザのアカウント情報を認証する。在籍ユーザ認証部２５１は、認証したグループに既に参加している在籍ユーザのアカウント情報の認証結果を参加判定部２５２に出力する。
【００５５】
参加判定部２５２は、在籍ユーザ認証部２５１から入力されたグループに既に参加している在籍ユーザのアカウント情報の認証結果に基づいて、以降の判定処理を行う。
参加判定部２５２は、機器情報取得部２１から機器情報が入力されると、ユーザ機器情報記憶部２２１２およびグループユーザ情報記憶部２２２からユーザ機器情報と、グループユーザ情報とを読み出す。参加判定部２５２は、機器情報と、ユーザ機器情報と、グループユーザ情報とに基づいて、グループに既に参加している在籍ユーザに関連づけられた機器情報か否かを判定する。
【００５６】
参加判定部２５２は、グループに既に参加しているユーザに関連づけられた機器情報である場合、グループに参加しようとしている参加ユーザの参加登録を許可する許可端末であることを示す許可通知をグループ情報取得部２５３に出力する。一方、グループに属するユーザに関連づけられた機器情報でない場合、すなわち、未登録の機器情報である場合、参加ユーザの参加登録を許可しないと判定し、以降の処理を実行させない。
【００５７】
なお、本実施形態において、グループに既に参加している在籍ユーザに関連づけられた機器情報でない場合、以降の処理を実行させないとしているが、未登録の機器であることを示すエラーメッセージを生成し、送信部２７に出力してもよい。
【００５８】
グループ情報取得部２５３は、参加判定部２５２から入力された許可通知と、機器情報とに基づいて、ユーザ機器情報記憶部２２１２およびグループユーザ情報記憶部２２２から機器情報とユーザＩＤとグループＩＤとを読み出す。グループ情報取得部２５３は、読み出した機器情報とユーザＩＤとグループＩＤに基づいて、機器情報が登録されている全てのグループ名を参加ユーザが参加可能な候補グループを示す候補グループ情報を送信部２７に出力する。グループ情報取得部２５３は、候補グループ情報を参加登録部２５５に出力する。
【００５９】
参加ユーザ認証部２５４は、受信部２０からグループに参加しようとしている参加ユーザのアカウント情報が入力されると、アカウント情報記憶部２２１１からアカウント情報を読み出す。参加ユーザ認証部２５４は、該参加ユーザのアカウント情報が、読み出したアカウント情報に登録されているか否かを判定すし、グループに参加しようとしている参加ユーザを認証する。参加ユーザ認証部２５４は、認証したグループに参加しようとしている参加ユーザの認証結果を参加登録部２５５に出力する。
【００６０】
参加登録部２５５は、グループ情報取得部２５３から入力された候補グループ情報と、受信部２０から入力された参加者登録依頼と、参加ユーザ認証部２５４から入力されたグループに参加しようとしている参加ユーザの認証結果とに基づいて、グループ選択情報が示すグループのグループＩＤにグループに参加しようとしている参加ユーザのユーザＩＤを関連付けて登録する。参加登録部２５５は、登録したグループＩＤおよびグループに参加しようとしている参加ユーザのユーザＩＤをグループユーザ情報記憶部２２２に記憶させる。参加登録部２５５は、グループに参加しようとしている参加ユーザのグループ参加登録を完了すると、参加登録完了通知生成依頼を通知生成部２５６に出力する。
【００６１】
通知生成部２５６は、参加登録部２５５から入力された参加登録完了通知生成依頼に基づき、参加登録完了通知を生成する。通知生成部２５６は、生成した参加登録完了通知を送信部２７に出力する。
【００６２】
図１０は、本実施形態に係るサービス提供部２６の構成の一例を示す概略ブロック図である。
サービス提供部２６は、ユーザ認証部２６１と、グループ認証部２６２と、提供部２６３とを含んで構成される。
【００６３】
ユーザ認証部２６１は、機器情報取得部２１から入力された機器情報に基づき、ユーザ機器情報記憶部２２１２からユーザ機器情報を読み出す。ユーザ認証部２６１は、読み出したユーザ機器情報と、機器情報取得部２１から入力された機器情報に基づき、ユーザ情報を抽出する。ユーザ認証部２６１は、抽出したユーザ情報をグループ認証部２６２および提供部２６３に出力する。
【００６４】
グループ認証部２６２は、ユーザ認証部２６１から入力されたユーザ情報に基づき、グループユーザ情報記憶部２２２からユーザ情報に関連づけられたグループ情報を読み出す。グループ認証部２６２は、ユーザ情報に関連づけられたグループ情報を提供部２６３に出力する。
【００６５】
提供部２６３は、ユーザ認証部２６１から入力されたユーザ情報と、グループ認証部２６２から入力されたグループ情報とに基づいて、ユーザに提供するサービス情報を、送信部２７を介して端末装置１に送信する。
【００６６】
なお、本実施形態において、ユーザ認証部２６１は、機器情報に基づいてユーザ認証を行っているが、本発明は、これに限定されない。ユーザ認証部２６１は、例えば、ユーザのアカウント情報を受信部２０から取得し、アカウント情報記憶部２２１１からアカウント情報を読み出すことで、認証を行う。ユーザ認証部２６１は、該ユーザのアカウント情報からユーザ情報を抽出し、抽出したユーザ情報をグループ認証部２６２および提供部２６３に出力してもよい。
【００６７】
また、本実施形態において、サービス提供部２６は、ユーザ情報と、グループ情報とに基づいて、ユーザに提供するサービス情報を、送信部２７を介して端末装置１に送信しているが、本発明は、これに限定されない。サービス提供部２６は、例えば、機器情報、ユーザ情報、アカウント情報、グループ情報などのいずれか１つまたは複数の情報を用いて、ユーザに提供するサービス情報を、送信部２７を介して端末装置１に送信してもよい。
【００６８】
図１１は、本実施形態に係る管理サーバ装置２におけるグループ生成部２４の動作の一例を示すシーケンス図である。
機器情報取得部２１は、ネットワークＮ１および受信部２０を介して、端末装置１からサービスにアカウントを有する在籍ユーザの機器情報を取得する（ＳＴ１０１）。在籍ユーザ認証部２４１は、サービスにアカウントを有する在籍ユーザのアカウント情報認証画面情報を生成し、生成したアカウント情報認証画面情報を、送信部２７およびネットワークＮ１を介して端末装置１に通知する（ＳＴ１０２）。端末装置１において入力部１０４から制御部１１に在籍ユーザのアカウント情報を示すユーザ操作情報が入力されると、管理サーバ装置２の在籍ユーザ認証部２４１は、サービスにアカウントを有する在籍ユーザのアカウント情報を取得する（ＳＴ１０３）。在籍ユーザ認証部２４１は、アカウント情報記憶部２２１１からアカウント情報を読み出して、該アカウント情報に記憶されたサービスにアカウントを有する在籍ユーザのアカウント情報であれば、サービスにアカウントを有する在籍ユーザのアカウント情報を認証する。
【００６９】
在籍ユーザ認証部２４１は、サービスにアカウントを有する在籍ユーザのアカウント情報の認証結果を、送信部２７およびネットワークＮ１を介して、端末装置１に通知する（ＳＴ１０４）。管理サーバ装置２の生成部２４２は、ネットワークＮ１および受信部２０を介して端末装置１からグループ生成依頼を取得する（ＳＴ１０５）。生成部２４２は、生成するグループのグループ名などを設定する設定画面情報を、送信部２７およびネットワークＮ１を介して端末装置１に通知する（ＳＴ１０６）。生成部２４２は、端末装置１からグループ名などを示すグループ設定情報を取得する（ＳＴ１０７）。生成部２４２は、取得したグループ設定情報に基づいて、グループを生成し、生成したグループのＩＤ、グループ名、在籍ユーザのユーザＩＤを関連付けて記憶部２２に記憶する。生成部２４２は、グループ生成完了通知依頼を通知生成部２４３に出力すると、通知生成部２４３は、グループ生成完了通知を生成し、送信部２７およびネットワークＮ１を介して、端末装置１に通知する（ＳＴ１０８）。
【００７０】
図１２は、本実施形態に係るグループ参加登録部２５の動作の一例を示すシーケンス図である。
機器情報取得部２１は、ネットワークＮ１および受信部２０を介して、端末装置１からグループに既に参加している在籍ユーザの機器情報を取得する（ＳＴ２０１）。グループに既に参加している在籍ユーザ認証部２５１は、グループに既に参加している在籍ユーザのアカウント情報認証画面情報を生成し、生成したアカウント情報認証画面情報を、送信部２７およびネットワークＮ１を介して端末装置１に通知する（ＳＴ２０２）。端末装置１において入力部１０４から制御部１１にグループに既に参加している在籍ユーザのアカウント情報を示すユーザ操作情報が入力されると、管理サーバ装置２の在籍ユーザ認証部２５１は、グループに既に参加している在籍ユーザのアカウント情報を取得する（ＳＴ２０３）。グループに既に参加している在籍ユーザ認証部２５１は、アカウント情報記憶部２２１１からアカウント情報を読み出して、該アカウント情報に記憶されたグループに既に参加している在籍ユーザのアカウント情報であれば、グループに既に参加している在籍ユーザのアカウント情報を認証する。
【００７１】
参加判定部２５２は、取得したグループに既に参加している在籍ユーザの機器情報と記憶部２２に記憶されたユーザＩＤおよび機器情報と、在籍ユーザ認証部２５１のグループに既に参加している在籍ユーザのアカウント情報認証結果とに基づいて、グループに既に参加している在籍ユーザに関連づけられた機器情報か否かを判定する。参加判定部２５２は、判定結果をグループ情報取得部２５３に出力する。グループ情報取得部２５３は、グループに既に参加している在籍ユーザが属する全てのグループ情報を示す候補グループ情報を、ネットワークＮ１および送信部２７を介して、端末装置１に通知する（ＳＴ２０４）。管理サーバ装置２の参加登録部２５５は、端末装置１が、候補グループ情報を受信し、グループに既に参加している在籍ユーザに候補グループリストを提示し、候補グループの中からグループに既に参加している在籍ユーザが任意のグループを選択したことを示すグループ選択情報を、ネットワークＮ１および受信部２０を介して取得する。（ＳＴ２０５）。
【００７２】
参加ユーザ認証部２５４は、グループに参加しようとしている参加ユーザのアカウント情報認証画面情報を、送信部２７およびネットワークＮ１を介して端末装置１に通知する（ＳＴ２０７）。端末装置１において入力部１０４から制御部１１にグループに既に参加している在籍ユーザのアカウント情報を示すユーザ操作情報が入力されると、管理サーバ装置２の参加ユーザ認証部２５４は、グループに既に参加している在籍ユーザのアカウント情報を取得する（ＳＴ２０８）。参加ユーザ認証部２５４は、アカウント情報記憶部２２１１からアカウント情報を読み出して、該アカウント情報に記憶されたグループに参加しようとしている参加ユーザのアカウント情報であれば、グループに参加しようとしている参加ユーザのアカウント情報を認証する。参加登録部２５５は、グループのＩＤ、グループに参加しようとしている参加ユーザのユーザＩＤを関連付けてグループユーザ情報記憶部２２２に記憶し、グループ参加登録を行う。参加登録部２５５は、グループ参加登録完了通知依頼を通知生成部２５６に出力すると、通知生成部２５６は、グループ参加登録完了通知を生成し、送信部２７およびネットワークＮ１を介して、端末装置１に通知する（ＳＴ２０９）。
【００７３】
図１３は、本実施形態に係るグループ生成に関する表示画面の表示態様の変化の一例を示す概念図である。
画面Ｇ１００は、在籍ユーザのアカウント認証画面の一例を示す画面である。画面Ｇ１００には、ユーザＩＤ入力ウインドウＧ１０１とパスワード入力ウインドウＧ１０２と「ログイン」ボタンＧ１０３とが表示される。在籍ユーザは、ユーザＩＤウインドウＧ１０１にユーザＩＤを入力する。在籍ユーザは、パスワード入力ウインドウＧ１０２にパスワードを入力する。在籍ユーザが「ログイン」ボタンＧ１０３を押下すると、画面Ｇ１１０に遷移する。
【００７４】
画面Ｇ１１０は、在籍ユーザがログイン後に表示されるグループリスト画面の一例を示す。
画面Ｇ１１０には、在籍ユーザＩＤに関連づけられたユーザ名Ｇ１１１「ＩＤ：ＸＸＸ」が表示されている。画面Ｇ１１０には、ウインドウラベルＧ１１２「グループリスト」と表示され、グループリストウインドウＧ１１３には、在籍ユーザが属するグループリスト一覧が表示される。在籍ユーザが「グループ作成」ボタンＧ１１４を押下すると画面Ｇ１３０に遷移する。
【００７５】
画面Ｇ１３０は、グループ作成画面の一例を示す画面である。
画面Ｇ１３０には、コメントラベルＧ１３１に「作成するグループ名を入力してください」と表示される。グループ名入力ウインドウＧ１３２に在籍ユーザが所望のグループ名を入力する。種別ウインドウＧ１３３は、例えば、プルダウン方式が用いられ、グループの種別、例えば、非公開、限定公開、公開などの選択肢から選択する。「認証」ボタンＧ１３４を押下すると、画面Ｇ１４０に遷移する。
【００７６】
画面Ｇ１４０は、グループ生成後の表示画面の一例を示す画面である。
画面Ｇ１３０のグループ名入力ウインドウＧ１３２に、例えば「グループＹ」と入力すると、グループラベルＧ１４１には、「グループＹ」と表示される。コメントウインドウＧ１４３には、「新規に「グループＹ」を作成しました。メンバを追加するには「グループに招待」を押してください」と表示される。「グループに招待」ボタンＧ１４２を押下することで新規に参加ユーザを「グループＹ」に招待する。コメント作成ボタンＧ１４４を押下すると、表示画面は、「グループＹ」の掲示板へと遷移する。ユーザが他の操作、例えば、グループ名変更、グループ削除などを行いたい場合、ユーザは、「その他操作」ボタンＧ１４５を押下することで、その他操作を行う。
【００７７】
図１４は、本実施形態に係る参加ユーザの招待に関する表示画面の表示態様の変化の一例を示す概念図である。
画面Ｇ２００は、アカウント認証画面の一例を示す画面である。画面Ｇ２００には、ユーザＩＤ入力ウインドウＧ２０１とパスワード入力ウインドウＧ２０２と「ログイン」ボタンＧ２０３とが表示される。在籍ユーザは、ユーザＩＤウインドウＧ２０１にユーザＩＤを入力する。在籍ユーザは、パスワード入力ウインドウＧ２０２にパスワードを入力する。在籍ユーザが「ログイン」ボタンＧ２０３を押下すると、画面Ｇ２１０に遷移する。
【００７８】
画面Ｇ２１０は、在籍ユーザがログイン後に表示されるグループリスト画面の一例を示す。
画面Ｇ２１０には、在籍ユーザＩＤに関連づけられたユーザ名Ｇ２１１「ＩＤ：ＸＸＸ」が表示されている。画面Ｇ２１０には、ウインドウラベルＧ２１２「グループリスト」と表示され、グループリストウインドウＧ２１３には、在籍ユーザが属するグループリスト一覧が表示される。
【００７９】
画面Ｇ２２０は、グループ選択画面の一例を示す画面である。
画面Ｇ２２０は、画面Ｇ２１０のグループリストウインドウＧ２１３においてグループを選択するカーソルＧ２２１が表示される。例えば、ユーザが「グループＢ」を選択すると次の画面Ｇ２３０に遷移する。
【００８０】
画面Ｇ２３０は、グループ選択画面において「グループＢ」を選択した時の表示画面の一例を示す画像である。
グループラベルＧ２３１には、画面Ｇ２２０において選択した「グループＢ」と表示される。コメントウインドウＧ２３３には、「コメントＡ  ＸＸＸＸＸＸＸＸＸＸＸＸＸＸＸ」などのように、「グループＢ」の掲示板などが表示される。ユーザが「招待」ボタンを押下すると次の画面Ｇ２４０に遷移する。
【００８１】
画面Ｇ２４０は、招待画面の一例を示す画面である。
コメントラベルＧ２４１には、「グループに参加する方のＩＤを認証してください」と表示される。画面Ｇ２４０には、ユーザＩＤ入力ウインドウＧ２４２とパスワード入力ウインドウＧ２４３と「認証」ボタンＧ２４４とが表示される。在籍ユーザは、参加ユーザに端末を手渡しし、参加ユーザのユーザＩＤ、およびパスワードを入力するように促す。参加ユーザは、ユーザＩＤウインドウＧ２４２にユーザＩＤを入力する。参加ユーザは、パスワード入力ウインドウＧ２４３にパスワードを入力する。参加ユーザが「認証」ボタンＧ２４４を押下すると、画面Ｇ２５０に遷移する。
【００８２】
画面Ｇ２５０は、招待完了画面の一例を示す画面である。
ユーザラベルＧ２５１には、招待画面Ｇ２４０において参加ユーザが入力したユーザＩＤに関連づけられたユーザ名「ＩＤ：ＡＡＡ」と表示される。コメントラベルＧ２５２には、「ＡＡＡさんがグループＢに招待されました。」と、参加登録完了コメントが表示される。
ユーザが「ＯＫ」ボタンＧ２５３を押下すると招待が完了する。
【００８３】
このように、本実施形態によれば、記憶部２２は、端末装置１を識別する機器情報とグループ情報とを関連付けたグループ機器情報を記憶する。機器情報取得部２１は、グループへの参加登録依頼を送信した端末装置１の機器情報を取得する。グループ参加登録部２５は、機器情報取得部が取得した機器情報と、グループ機器情報とに基づいて、参加ユーザのグループへの参加登録を許可する。
【００８４】
これにより、ユーザの参加登録を安全に行うことができる。また、参加ユーザを複雑な手続きなしに簡単にグループに参加登録することができる。さらに、在籍ユーザの端末装置１を用いることで、セキュアに参加ユーザのグループへの参加登録を行うことができる。
【００８５】
また、グループ参加登録部２５は、参加判定部２５２と参加登録部２５５とをさらに備える。参加判定部２５２は、端末装置から通知された参加登録依頼と、機器情報取得部２１が取得した機器情報と、グループ機器情報とに基づいて、グループ機器情報に登録された機器からの参加登録依頼の場合、参加登録を許可する。参加登録部２５５は、参加判定部２５２の参加登録を許可する場合に、参加ユーザのアカウント情報に基づいて、参加ユーザのグループへの参加を登録する。
【００８６】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。また、参加ユーザの端末装置の機器情報を登録することで、グループに属するユーザの端末装置を特定することができ、他ユーザへのなりすましを防止することができる。また、ユーザの使用端末が増加した場合においても、複雑な手続きなしに、機器情報をグループに登録することができる。
【００８７】
また、グループ参加登録部２５は、グループに既に在籍している在籍ユーザのアカウント情報を認証する在籍ユーザ認証部２５１をさらに備える。参加判定部２５２は、端末装置１から通知された参加登録依頼と、在籍ユーザ認証部の認証結果と、機器情報取得部２１が取得した機器情報と、グループ機器情報とに基づいて、グループ機器情報に登録された機器からの参加登録依頼の場合、グループに参加しようとしている参加ユーザの参加登録を許可する。参加登録部２５５は、参加判定部２５２が参加登録を許可する場合に、参加ユーザのアカウント情報に基づいて、参加ユーザのグループへの参加を登録する。
【００８８】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。また、参加ユーザの端末装置の機器情報を登録することで、グループに属するユーザの端末装置を特定することができ、他ユーザへのなりすましを防止することができる。また、ユーザの使用端末が増加した場合においても、複雑な手続きなしに、機器情報をグループに登録することができる。
【００８９】
（第２の実施形態）
以下、図面を参照しながら本発明の第２の実施形態について詳しく説明する。
上記第１の実施形態は、グループに既に参加している在籍ユーザのアカウント情報およびグループに既に参加している在籍ユーザの端末装置１の機器情報に基づいて、グループに参加しようとしている参加ユーザのグループへの参加登録を行う場合について説明をした。本実施形態では、グループに既に参加している在籍ユーザのアカウント情報を用いずに、機器情報を用いてグループに参加しようとしている参加ユーザのグループへの参加登録を行う場合について説明をする。
【００９０】
本実施形態において、端末装置１の構成は、第１の実施形態における端末装置１の構成と同様であるので、説明は省略する。また、本実施形態における管理サーバ装置２ａの構成と、第１の実施形態における管理サーバ装置２とを比較するとグループ参加登録部２５ａの構成が異なる。その他の構成は同様であるので説明は省略する。
【００９１】
図１５は、本実施形態に係るグループ参加登録部２５ａの構成の一例を示す概略ブロック図である。
グループ参加登録部２５ａは、参加判定部２５２ａと、グループ情報取得部２５３と、参加ユーザ認証部２５４と、参加登録部２５５と、通知生成部２５６とを含んで構成される。
第１の実施形態におけるグループ参加登録部２５と、本実施形態におけるグループ参加登録部２５ａとを比較すると、在籍ユーザ認証部２５１が削除されている。その他の構成は、グループ参加登録部２５と同様であるため、説明は省略する。なお、参加判定部２５２ａに入力される情報が異なるため、参加判定部２５２ａについて説明する。
【００９２】
参加判定部２５２ａは、機器情報取得部２１から機器情報が入力されると、ユーザ機器情報記憶部２２１２およびグループユーザ情報記憶部２２２からユーザ機器情報と、グループユーザ情報とを読み出す。参加判定部２５２ａは、グループに既に参加している在籍ユーザの機器情報と、読み出したユーザ機器情報と、読み出したグループユーザ情報とに基づいて、グループに属するユーザに関連づけられた機器情報か否かを判定する。
【００９３】
グループに既に参加している在籍ユーザに関連づけられた機器情報である場合、参加判定部２５２ａは、グループに参加しようとしている参加ユーザの参加登録を許可する許可端末であることを示す許可通知をグループ情報取得部２５３に出力する。一方、グループに既に参加している在籍ユーザに関連づけられた機器情報でない場合、すなわち、未登録の機器情報である場合、参加判定部２５２ａは、グループに参加しようとしている参加ユーザの参加登録を許可しないと判定し、以降の処理を実行させない。
なお、本実施形態において、グループに既に参加している在籍ユーザに関連づけられた機器情報でない場合、以降の処理を実行させないとしているが、未登録の機器であることを示すエラーメッセージを生成し、送信部２７に出力してもよい。
【００９４】
図１６は、本実施形態に係る管理サーバ装置２ａのグループ参加登録部２５ａの動作の一例を示すシーケンス図である。
機器情報取得部２１は、ネットワークＮ１および受信部２０を介して、端末装置１から在籍ユーザの機器情報を取得する（ＳＴ４０１）。
参加判定部２５２ａは、取得したグループに既に参加している在籍ユーザの機器情報と記憶部２２に記憶されたユーザＩＤおよび機器情報とに基づいて、グループに参加しようとしている参加ユーザの招待が可能か否かを判定する。参加判定部２５２は、判定結果をグループ情報取得部２５３に出力する。グループ情報取得部２５３は、グループに既に参加している在籍ユーザが属する全てのグループ情報を示す候補グループ情報を、ネットワークＮ１および送信部２７を介して、端末装置１に通知する（ＳＴ４０２）。管理サーバ装置２の参加登録部２５５は、ネットワークＮ１および受信部２０を介して端末装置１からグループ選択情報を取得する（ＳＴ４０３）。
【００９５】
参加ユーザ認証部２５４は、グループに参加しようとしている参加ユーザのアカウント情報認証画面情報を、送信部２７およびネットワークＮ１を介して端末装置１に通知する（ＳＴ４０４）。端末装置１において入力部１０４から制御部１１にグループに既に参加している在籍ユーザのアカウント情報を示すユーザ操作情報が入力されると、管理サーバ装置２の参加ユーザ認証部２５４は、グループに既に参加している在籍ユーザのアカウント情報を取得する（ＳＴ４０５）。参加ユーザ認証部２５４は、アカウント情報記憶部２２１１からアカウント情報を読み出して、該アカウント情報に記憶されたグループに参加しようとしている参加ユーザのアカウント情報であれば、グループに参加しようとしている参加ユーザのアカウント情報を認証する。参加登録部２５５は、グループのＩＤ、グループに参加しようとしている参加ユーザのユーザＩＤを関連付けてグループユーザ情報記憶部２２２に記憶し、グループ参加登録を行う。参加登録部２５５は、グループ参加登録完了通知依頼を通知生成部２５６に出力すると、通知生成部２５６は、グループ参加登録完了通知を生成し、送信部２７およびネットワークＮ１を介して、端末装置１に通知する（ＳＴ４０６）。
【００９６】
このように、本実施形態によれば、記憶部２２は、端末装置１を識別する機器情報とグループ情報とを関連付けたグループ機器情報を記憶する。機器情報取得部２１は、グループへの参加登録依頼を送信した端末装置の機器情報を取得する。グループ参加登録部２５ａは、機器情報取得部が取得した機器情報と、グループ機器情報とに基づいて、グループに参加しようとしている参加ユーザのグループへの参加登録を許可する。
【００９７】
これにより、ユーザの参加登録を安全に行うことができる。また、参加ユーザを複雑な手続きなしに簡単にグループに参加登録することができる。さらに、在籍ユーザの端末装置１を用いることで、セキュアに参加ユーザのグループへの参加登録を行うことができる。
【００９８】
また、グループ参加登録部２５ａは、参加判定部２５２ａと、参加登録部２５５とをさらに備える。参加判定部２５２ａは、端末装置１から通知された参加登録依頼と、機器情報取得部が取得した機器情報と、グループ機器情報とに基づいて、グループ機器情報に登録された機器からの参加登録依頼の場合、参加登録を許可する。参加登録部２５５は、参加判定部２５２ａの参加登録を許可する場合に、グループに参加しようとしている参加ユーザのアカウント情報に基づいて、参加ユーザのグループへの参加を登録する。
【００９９】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。
【０１００】
（第３の実施形態）
以下、図面を参照しながら本発明の第３の実施形態について詳しく説明する。
上記第１の実施形態は、在籍ユーザのアカウント情報および在籍ユーザの端末装置１の機器情報に基づいて、グループに参加しようとしている参加ユーザのグループへの参加登録を行う場合について説明をした。本実施形態では、同一の機器情報が複数のユーザに関連づけられている場合における、グループへ機器情報の属性を変更して登録を行う場合について説明をする。
【０１０１】
本実施形態における端末装置１の構成と、第１の実施形態における端末装置１の構成とを比較すると、同様であるので説明は省略する。
【０１０２】
図１７は、本実施形態に係る管理サーバ装置２ｂの構成の一例を示すブロック図である。
管理サーバ装置２ｂは、受信部２０と、機器情報取得部２１ｂと、記憶部２２と、ユーザ登録部２３と、グループ生成部２４と、グループ参加登録部２５ａと、サービス提供部２６ｂと、送信部２７ｂと、グループ管理部２８ｂとを含んで構成される。管理サーバ装置２ｂは、その他、一般的な公知のサーバ装置の機能を備えるが図示および説明は省略する。
本実施形態における管理サーバ装置２ｂの構成と、第１の実施形態における管理サーバ装置２とを比較するとグループ管理部２８ｂが追加されている。その他の構成は、第１の実施形態における管理サーバ装置２の構成と同様であるので、説明は省略する。
【０１０３】
機器情報取得部２１ｂは、受信部２０から入力された機器情報をユーザ登録部２３と、グループ生成部２４と、グループ参加登録部２５と、サービス提供部２６ｂと、グループ管理部２８ｂとに出力する。
【０１０４】
サービス提供部２６ｂは、ユーザに提供するサービス情報を生成し、生成したサービス情報を端末装置１に送信する。ユーザに提供するサービスは、例えば、グループ内掲示板サービス、体重や体調などの情報をグループ内で共有する健康管理サービス、位置情報を用いてユーザの現在位置をグループ内で共有する見守りサービス、会社内での共有フォルダの共有などの社内ネットワークサービス、サークル（同好会）などのグループ内での情報の共有する情報共有サービスなどである。サービス提供部２６ｂの詳細な説明は、後述する。
【０１０５】
グループ管理部２８ｂは、機器情報取得部２１ｂから入力された機器情報に基づいて、ユーザが関連付けられた機器情報およびユーザＩＤを記憶部２２から読み出す。グループ管理部２８ｂは、読み出した機器情報とユーザＩＤに基づいて、該機器情報が関連付けられたユーザＩＤとユーザに関連づけられたグループＩＤとに基づいて、複数ユーザの使用する機器情報としてユーザ機器情報記憶部２２１２の情報を更新する。グループ管理部２８ｂは、更新が完了すると更新完了通知を生成する。グループ管理部２８ｂは、生成した更新完了通知を送信部２７ｂに出力する。グループ管理部２８ｂの詳細な説明は、後述する。
【０１０６】
送信部２７ｂは、入力されたデータの符号化、変調、ＤＡ変換、周波数変換、無線波によるデータ信号の送信などの通信処理を行う。送信部２７ｂは、ネットワークＮ１と有線または無線を介して接続する。送信部２７ｂは、ユーザ登録部２３から入力された入力依頼を、ネットワークＮ１を介して、端末装置１に送信する。送信部２７ｂは、ユーザ登録部２３から入力された更新完了通知を、ネットワークＮ１を介して、端末装置１に送信する。送信部２７ｂは、グループ生成部２４から入力されたグループ生成完了通知を、ネットワークＮ１を介して、端末装置１に送信する。
【０１０７】
送信部２７ｂは、グループ参加登録部２５から入力された候補グループ情報を、ネットワークＮ１を介して、端末装置１に送信する。送信部２７ｂは、グループ参加登録部２５から入力されたグループ参加登録完了通知を、ネットワークＮ１を介して、端末装置１に送信する。送信部２７ｂは、サービス提供部２６ｂから入力されたサービス情報を、ネットワークＮ１を介して、端末装置１に送信する。送信部２７ｂは、グループ管理部２８ｂら入力された更新完了通知を、ネットワークＮ１を介して、端末装置１に送信する。
【０１０８】
図１８は、本実施形態に係るグループ管理部２８ｂの構成の一例を示す概略ブロック図である。
グループ管理部２８ｂは、情報取得部２８１ｂと、更新部２８２ｂと、通知生成部２８３ｂとを含んで構成される。
情報取得部２８１ｂは、機器情報取得部２１ｂから機器情報が入力されると、ユーザ機器情報記憶部２２１２から該機器情報に関連づけられた全てのユーザＩＤを読み出す。情報取得部２８１ｂは、読み出したユーザＩＤに基づき、グループユーザ情報記憶部２２２から該ユーザＩＤに関連づけられた全てのグループＩＤを読み出す。情報取得部２８１ｂは、読み出したユーザＩＤと該ユーザに関連づけられたグループＩＤとに基づいて、グループＩＤと、ユーザＩＤとを更新部２８２ｂに出力する。
【０１０９】
更新部２８２ｂは、機器情報取得部２１ｂから入力された機器情報と、情報取得部２８１ｂから入力されたユーザＩＤに関連づけられたグループＩＤおよびユーザＩＤとに基づいて、同一の機器情報が複数ユーザに関連づけられているか否かを判定する。同一の機器情報が複数ユーザに関連づけられていない場合、更新部２８２ｂは、何もしない。
【０１１０】
同一の機器情報に複数ユーザが関連づけられている場合、更新部２８２ｂは、複数ユーザの共有端末装置として、ユーザ機器情報記憶部２２１２が記憶するユーザ機器情報に「共有端末装置」という属性を追加する。つまり、共有端末装置は、例えば、インターネットカフェなどの不特定多数のユーザの使用する端末装置であり、グループの運用において安全（セキュア）でない端末装置のことで、グループの管理権限を有さない。一方、共有端末装置でない端末装置、すなわち一般的な端末装置は、例えば持ち主が明確であるスマートフォンやリビングのテレビなどの端末装置である。
【０１１１】
更新部２８２ｂは、共有端末装置である場合、該端末装置の機器情報からの要求、例えば、参加ユーザの招待要求、グループの生成要求を受け付けない。更新部２８２ｂは、共有端末装置である場合、該機器情報が共有端末装置であることを示す共有端末装置情報をサービス提供部２６ｂに出力する。更新部２８２ｂは、更新が完了すると更新完了通知生成依頼を通知生成部２８３ｂに出力する。通知生成部２８３ｂは、更新部２８２ｂから更新完了通知生成依頼が入力されると、更新完了通知を生成し、送信部２７ｂ出力する。
【０１１２】
図１９は、本実施形態に係るサービス提供部２６ｂの構成の一例を示す概略ブロック図である。
サービス提供部２６ｂは、ユーザ認証部２６１ｂと、グループ認証部２６２ｂと、提供部２６３ｂと、制限部２６４ｂとを含んで構成される。
【０１１３】
ユーザ認証部２６１ｂは、機器情報取得部２１からが入力された機器情報に基づき、ユーザ機器情報記憶部２２１２からユーザ機器情報を読み出す。ユーザ認証部２６１ｂは、該ユーザの機器情報が、読み出したユーザ機器情報に登録されているか否かを判定する。ユーザの機器情報が、読み出したユーザ機器情報に登録されている場合、ユーザ認証部２６１ｂは、ユーザを認証し、サービス提供許可通知を生成する。一方、ユーザの機器情報が、読み出したユーザ機器情報に登録されていない場合、ユーザ認証部２６１ｂは、サービス提供不可通知を生成する。ユーザ認証部２６１ｂは、生成したサービス提供許可通知またはサービス提供不可通知を制限部２６４ｂに出力する。ユーザ認証部２６１ｂは、ユーザＩＤをグループ認証部２６２ｂに出力する。
【０１１４】
グループ認証部２６２ｂは、ユーザ認証部２６１ｂから入力されたユーザＩＤに基づき、グループユーザ情報記憶部２２２からユーザＩＤに関連づけられたグループＩＤを読み出す。グループ認証部２６２ｂは、ユーザＩＤに関連づけられたグループＩＤを制限部２６４ｂに出力する。
【０１１５】
制限部２６４ｂは、ユーザ認証部２６１ｂからサービス提供不可通知が入力されると、提供部２６３ｂにサービスを提供させない。制限部２６４ｂは、ユーザ認証部２６１ｂから入力されたサービス提供許可通知とグループ認証部２６２ｂから入力されたグループＩＤと、グループ管理部２８ｂから入力された共有端末装置情報とに基づいて、ユーザに提供するサービスの機能、例えば、参加ユーザのグループへの参加登録の制限、グループ生成を制限する。制限部２６４ｂは、グループＩＤ、ユーザＩＤを提供部２６３ｂに出力する。
【０１１６】
提供部２６３ｂは、制限部２６４ｂから入力された判定結果、グループＩＤ、ユーザＩＤに基づいて、サービス、例えばグループ掲示板サービス、グループ健康情報サービス、位置情報交換サービスなどを、送信部２７ｂを介して提供する。
【０１１７】
なお、本実施形態において、更新部２８２ｂが共有端末装置情報であるか否かを判定するとしているが、本発明はこれに限定されない。その場合、更新部２８２ｂは、受信部２０から共有端末装置であることを示すユーザ操作情報を取得し、該ユーザ操作情報に基づいてユーザ機器情報記憶部２２１２に記憶されているユーザ機器情報を更新すればよい。その場合、グループ管理部２８ｂにおいて、情報取得部２８１ｂがユーザ機器情報記憶部２２１２に記憶された端末装置の属性を読み出して、読み出した機器情報に基づいて更新部２８２ｂに該端末装置の属性をサービス提供部２６ｂに出力すればよい。また、更新部２８２ｂは、機器情報取得部２１ｂから機器情報を取得し、取得した機器情報に基づいて、ユーザ機器情報記憶部２２１２が記憶するユーザ機器情報を更新してもよい。
【０１１８】
このように、本実施形態よれば、記憶部２２は、端末装置１を識別する機器情報とグループ情報とを関連付けたグループ機器情報を記憶する。機器情報取得部２１ｂは、グループへの参加登録依頼を送信した端末装置の機器情報を取得する。グループ参加登録部２５ａは、機器情報取得部２１ｂが取得した機器情報と、グループ機器情報とに基づいて、参加ユーザのグループへの参加登録を許可する。
【０１１９】
これにより、ユーザの参加登録を安全に行うことができる。また、参加ユーザを複雑な手続きなしに簡単にグループに参加登録することができる。さらに、在籍ユーザの端末装置１を用いることで、セキュアに参加ユーザのグループへの参加登録を行うことができる。
【０１２０】
グループ参加登録部２５ａは、参加判定部２５２ａと参加登録部２５５とをさらに備える。参加判定部２５２ａは、端末装置１から通知された参加登録依頼と、機器情報取得部２１ｂが取得した機器情報と、グループ機器情報とに基づいて、グループ機器情報に登録された機器からの参加登録依頼の場合、参加登録を許可する。参加登録部２５５は、参加判定部２５２ａの参加登録を許可すると判定した場合に、参加ユーザのアカウント情報に基づいて、参加ユーザのグループへの参加を登録する。
【０１２１】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。
【０１２２】
管理サーバ装置２ｂは、更新部２８２ｂをさらに備える。グループ機器情報は、グループと在籍ユーザが関連付けられたグループユーザ情報と、ユーザと当該ユーザが利用した端末装置の機器情報とが関連付けられたユーザ機器情報とを含み、ユーザ機器情報で複数のユーザに関連づけられている機器情報であって、更新部２８２ｂは、当該複数のユーザが関連づけられている機器情報が示す端末装置を複数ユーザの共有端末装置として、記憶部２２が記憶するユーザ機器情報を更新する。
【０１２３】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。また、参加ユーザの端末装置の機器情報を登録することで、グループに属するユーザの端末装置を特定することができ、他ユーザへのなりすましを防止することができる。また、ユーザの使用端末が増加した場合においても、複雑な手続きなしに、機器情報をグループに登録することができる。また、複数ユーザに関連づけられた共有端末装置を識別することができ、グループのサービスを安全に提供することができる。
【０１２４】
管理サーバ装置２ｂは、制限部２６４ｂをさらに備える。機器情報取得部２１ｂが共有端末装置情報を取得した場合、制限部２６４ｂは、ユーザに提供するサービスまたは機能を制限する。
【０１２５】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。さらに、参加ユーザの端末装置の機器情報を登録することで、グループに属するユーザの端末装置を特定することができ、他ユーザへのなりすましを防止することができる。さらに、ユーザの使用端末が増加した場合においても、複雑な手続きなしに、機器情報をグループに登録することができる。また、複数ユーザに関連づけられた共有端末装置を識別することができ、グループのサービスを安全に提供することができる。さらに、共有端末装置は、不特定多数が利用できる端末装置であり特定のユーザに関連づいていないため、グループの安全性を保証できない。このため、複数ユーザに関連づけられた共有端末装置情報を用いて、機能制限することでグループの安全性を高めることができる。
【０１２６】
（第４の実施形態）
以下、図面を参照しながら本発明の第４の実施形態について詳しく説明する。
上記第１の実施形態は、参加ユーザのグループへの参加登録を行う場合について説明をした。本実施形態では、在籍ユーザの機器情報を削除する場合について説明をする。
【０１２７】
図２０は、本実施形態に係る端末装置１ａの構成の一例を示す概略ブロック図である。
端末装置１ａは、送受信アンテナ１０１と、通信部１０２と、機器情報記憶部１０３と、入力部１０４と、出力部１０５と、制御部１１ａとを含んで構成される。端末装置１ａは、その他、端末装置の一般的な公知の機能を有するが、説明および図示は省略する。
本実施形態における端末装置１ａの構成と、第１の実施形態における端末装置１の構成とを比較すると、グループ生成依頼部１１２と、参加者登録依頼部１１３とが削除され、新たに端末情報削除要求部１１４ａが追加されている。その他の構成は、第１の実施形態における端末装置１の構成と同様であるので、説明は省略する。
【０１２８】
制御部１１ａは、通信部１０２から通信情報が入力されると、表示情報を生成する。制御部１１ａは、生成した表示情報を出力部１０５に出力する。制御部１１ａは、機器情報記憶部１０３から機器情報を読み出す。ここで、機器情報とは、例えば、機器ＩＤ、機器に搭載されたＩＣ（Ｉｎｔｅｆｒａｔｅｄ  Ｃｉｒｃｕｉｔ：集積回路）カードの識別情報、機器の製造番号情報などのことである。制御部１１ａは、読み出した機器情報を通信部１０２に出力する。制御部１１ａは、入力部１０４からユーザ操作情報が入力されると、通信情報を生成する。制御部１１ａは、生成した通信情報を通信部１０２に出力する。通信情報は、例えば、ユーザ認証要求、端末情報削除要求などのことである。
【０１２９】
制御部１１ａは、ユーザ認証要求部１１１と、端末情報削除要求部１１４ａとを含んで構成される。
ユーザ認証要求部１１１は、入力部１０４からユーザ操作情報が入力されると、ユーザ認証要求を生成する。ユーザ認証要求部１１１は、生成したユーザ認証要求を通信部１０２に出力する。ユーザ認証要求部１１１は、通信部１０２から入力依頼が入力されると、ユーザＩＤおよびパスワードの入力を要求する表示情報を出力部１０５に出力する。
【０１３０】
端末情報削除要求部１１４ａは、入力部１０４からユーザ操作情報が入力されると、端末情報削除要求を生成する。端末情報削除要求部１１４ａは、生成した端末情報削除要求を通信部１０２に出力する。端末情報削除要求部１１４ａは、通信部１０２から削除可能端末リストが入力されると、該削除可能端末リストを出力部１０５に出力する。入力部１０４は、ユーザから削除対象の端末装置を示す削除端末選択情報を取得する。入力部１０４は、取得した削除端末選択情報を通信部１０２に出力する。
【０１３１】
図２１は、本実施形態に係る管理サーバ装置２ｃの構成の一例を示すブロック図である。
管理サーバ装置２ｃは、受信部２０ｃと、機器情報取得部２１ｂと、記憶部２２ｃと、ユーザ登録部２３と、グループ生成部２４と、グループ参加登録部２５と、サービス提供部２６と、送信部２７ｃと、グループ管理部２８ｃとを含んで構成される。管理サーバ装置２ｃは、その他、一般的な公知のサーバ装置の機能を備えるが図示および説明は省略する。
【０１３２】
本実施形態における管理サーバ装置２ｃの構成と、第１の実施形態における管理サーバ装置２の構成とを比較すると、受信部２０ｃと、機器情報取得部２１ｂと、記憶部２２ｃと、送信部２７ｃと、グループ管理部２８ｃとが異なる。その他の構成は、第１の実施形態における管理サーバ装置２の構成と同様であるので、説明は省略する。また、本実施形態における機器情報取得部２１ｂの構成は、第３の実施形態における機器情報取得部２１ｂの構成と同様であるので、説明は省略する。
【０１３３】
受信部２０ｃは、復調、復号化、周波数変換、無線波によるデータの受信などの通信処理を行う。受信部２０ｃは、ネットワークＮ１と有線または無線を介して接続する。受信部２０ｃは、ネットワークＮ１を介して、端末装置１ａから機器情報を受信する。受信部２０ｃは、受信した機器情報を機器情報取得部２１ｂに出力する。受信部２０ｃは、ネットワークＮ１を介して、端末装置１ａから受信したユーザ認証要求をユーザ登録部２３、グループ生成部２４に出力する。
【０１３４】
受信部２０ｃは、ネットワークＮ１を介して、端末装置１ａから受信したユーザ登録依頼をユーザ登録部２３に出力する。受信部２０ｃは、端末装置１ａから受信したグループ生成依頼をグループ生成部２４に出力する。受信部２０ｃは、端末装置１ａから受信したグループ選択情報をグループ参加登録部２５に出力する。受信部２０ｃは、端末装置１ａから受信した参加者登録依頼をグループ参加登録部２５に出力する。
【０１３５】
受信部２０ｃは、ネットワークＮ１を介して、端末装置１ａから受信した端末情報削除要求をグループ管理部２８ｃに出力する。受信部２０ｃは、端末装置１ａから受信した削除端末選択情報をグループ管理部２８ｃに出力する。
【０１３６】
記憶部２２ｃは、ユーザ情報記憶部２２１ｃと、グループユーザ情報記憶部２２２とを含んで構成される。
ユーザ情報記憶部２２１ｃは、ユーザ情報、例えば、ユーザＩＤ、ユーザＩＤに関連づけられたパスワード、ユーザＩＤに関連づけられた機器情報などを記憶する。
【０１３７】
ユーザ情報記憶部２２１ｃは、アカウント情報記憶部２２１１と、ユーザ機器情報記憶部２２１２ｃとを含んで構成される。アカウント情報記憶部２２１１が記憶するアカウント情報テーブルＴ１は、第１の実施形態におけるアカウント情報テーブルＴ１と同様であるので、説明は省略する。
【０１３８】
ユーザ機器情報記憶部２２１２ｃは、ユーザ機器情報、例えば、ユーザＩＤ、該ユーザＩＤに関連づけられた機器情報、端末装置の種別などを記憶する。ユーザ機器情報記憶部２２１２ｃが記憶するユーザ機器情報テーブルＴ４の一例を図２２に示す。
【０１３９】
図２２は、本実施形態に係るユーザ機器情報記憶部２２１２ｃが記憶するユーザ機器情報テーブルＴ４の一例を示すテーブルである。
図示するように、ユーザ機器情報テーブルＴ４は、ユーザＩＤ、および機器情報、主たる端末装置の各項目の列を有している。ユーザ機器情報テーブルＴ４は、ユーザＩＤ毎に機器情報と主たる端末装置か否かを示す記号が格納される行と列からなる２次元の表形式のデータである。
【０１４０】
例えば、１行目のユーザＩＤ「ｕ００１」には、機器情報「ｄ１２３４」と主たる端末装置「○」が関連付けられて記憶されていることを表わしている。ここで、主たる端末装置とは、各ユーザに関連づけられた機器情報のうち管理権限をもつ代表端末のことであり、各ユーザには、各々主たる端末装置が登録されている。主たる端末装置の列に表わされる「○」は、ユーザＩＤに対応する機器情報が管理権限を持つ端末装置であることを意味している。また、例えば、２行目のユーザＩＤ「ｕ００１」には、機器情報「ｄ２３４５」と主たる端末装置であることを意味する「○」が示されておらず、例えば、空欄が関連付けて記憶されている。
【０１４１】
グループユーザ情報記憶部２２２が記憶するグループユーザ情報の一例は、図７に示したグループユーザ情報テーブルＴ３と同様であるので、説明は省略する。
【０１４２】
グループ管理部２８ｃは、機器情報取得部２１ｂから入力された機器情報に基づいて、ユーザが関連付けられた機器情報、ユーザＩＤ、主たる端末装置か否かの情報を記憶部２２ｃから読み出す。グループ管理部２８ｃは、読み出した機器情報とユーザＩＤと主たる端末装置か否かの情報に基づいて、該ユーザの端末装置の機器情報が削除可能か否かを判定する。グループ管理部２８ｃは、該判定結果と機器情報取得部２１ｂから入力された機器情報と、受信部２０ｃから入力された端末情報削除要求に基づいて削除可能端末装置リストを送信部２７ｃに出力する。グループ管理部２８ｃは、受信部２０ｃから削除端末選択情報が入力されると、該端末装置の機器情報を記憶部２２ｃから削除し、ユーザ機器情報記憶部２２１２ｃのユーザ機器情報を更新する。グループ管理部２８ｃは、更新が完了すると更新完了通知を生成する。グループ管理部２８ｃは、生成した更新完了通知を送信部２７ｃに出力する。グループ管理部２８ｃの詳細な説明は、後述する。
【０１４３】
送信部２７ｃは、変調、符号化、周波数変換、無線波によるデータの送信などの通信処理を行う。送信部２７ｃは、ネットワークＮ１と有線または無線を介して接続する。送信部２７ｃは、ユーザ登録部２３から入力された入力依頼を、ネットワークＮ１を介して、入力依頼を端末装置１ａに送信する。送信部２７ｃは、ユーザ登録部２３から入力された更新完了通知を、ネットワークＮ１を介して、端末装置１ａに送信する。送信部２７ｃは、グループ生成部２４から入力されたグループ生成完了通知を、ネットワークＮ１を介して、端末装置１ａに送信する。
【０１４４】
送信部２７ｃは、グループ参加登録部２５から入力された候補グループ情報を、ネットワークＮ１を介して、端末装置１ａに送信する。送信部２７ｃは、グループ参加登録部２５から入力されたグループ参加登録完了通知を、ネットワークＮ１を介して、端末装置１ａに送信する。送信部２７ｃは、サービス提供部２６から入力されたサービス情報を、ネットワークＮ１を介して、端末装置１ａに送信する。送信部２７ｃは、グループ管理部２８ｃから入力された削除可能端末リストを、ネットワークＮ１を介して、端末装置１ａに送信する。
【０１４５】
図２３は、本実施形態に係るグループ管理部２８ｃの構成の一例を示す概略ブロック図である。
グループ管理部２８ｃは、情報取得部２８１ｂと、更新部２８２ｃと、通知生成部２８３ｃと、端末装置種別判定部２８４ｃとを含んで構成される。
【０１４６】
情報取得部２８１ｃは、機器情報取得部２１ｂから機器情報が入力されると、ユーザ機器情報記憶部２２１２ｃから該機器情報に関連づけられたユーザＩＤを読み出し、該ユーザＩＤに関連づけられた全ての機器情報を読み出す。情報取得部２８１ｂは、読み出した機器情報を、更新部２８２ｃに出力する。
端末装置種別判定部２８４ｃは、受信部２０ｃから入力された端末装置削除要求と、機器情報取得部２１ｂから入力された機器情報と、ユーザ機器情報記憶部２２１２ｃから読み出したユーザ機器情報とに基づき、主たる端末装置から送信された端末情報削除要求か否かを判定する。
【０１４７】
主たる端末装置から送信された端末情報削除要求である場合、端末装置種別判定部２８４ｃは、削除処理許可通知を更新部２８２ｃに出力する。一方、主たる端末装置から送信された端末情報削除要求でない場合、端末装置種別判定部２８４ｃは、端末情報削除要求を受け付けない。
【０１４８】
更新部２８２ｃは、情報取得部２８１ｂから入力されたユーザＩＤに関連づけられた全ての機器情報と、端末装置種別判定部２８４ｃから入力された削除処理許可通知に基づき、削除可能端末装置情報を通知生成部２８３ｃに出力する。更新部２８２ｃは、受信部２０ｃから入力された削除端末選択情報に基づいて、ユーザ機器情報記憶部２２１２ｃに記憶された機器情報を更新する。更新部２８２ｃは、更新が完了すると更新完了通知生成依頼を通知生成部２８３ｃに出力する。
【０１４９】
通知生成部２８３ｃは、更新部２８２ｃから入力された削除可能端末情報に基づいて削除可能端末リストを生成し、送信部２７ｃに出力する。通知生成部２８３ｃは、更新部２８２ｃから更新完了通知生成依頼が入力されると、更新完了通知を生成し、送信部２７ｂ出力する。
【０１５０】
図２４は、本実施形態に係るグループ管理部２８ｃの動作の一例を示すシーケンス図である。
情報取得部２８１ｃは、機器情報取得部２１ｂから機器情報を取得する（ＳＴ５０１）。端末装置種別判定部２８４ｃは、端末装置削除要求を取得する（ＳＴ５０２）。情報取得部２８１ｃは、ユーザ機器情報記憶部２２１２ｃから該機器情報に関連づけられたユーザＩＤを読み出し、該ユーザＩＤに関連づけられた全ての機器情報を読み出す。情報取得部２８１ｃは、読み出した機器情報を、更新部２８２ｃに出力する。
端末装置種別判定部２８４ｃは、端末装置削除要求と、取得した機器情報と、ユーザ機器情報記憶部２２１２ｃから読み出したユーザ機器情報とに基づき、主たる端末装置から送信された端末情報削除要求か否かを判定する。主たる端末装置から送信された端末情報削除要求である場合、端末装置種別判定部２８４ｃは、削除処理許可通知を更新部２８２ｃに出力する。
【０１５１】
なお、本実施形態において、端末装置種別判定部２８４ｃは、主たる端末装置から送信された端末情報削除要求否かを判定しているが、本発明は、これに限定されない。その場合、端末装置種別判定部２８４ｃは、ユーザに関連づいた端末装置であるか否かを判定し、ユーザに関連づいた端末装置であれば、任意の端末装置を削除可能とする端末情報削除要求を更新部２８２ｃに出力すればよい。
【０１５２】
更新部２８２ｃは、情報取得部２８１ｃから入力されたユーザＩＤに関連づけられた全ての機器情報と、端末装置種別判定部２８４ｃから入力された削除処理許可通知に基づき、削除可能端末装置情報を通知生成部２８３ｃに出力する。通知生成部２８３ｃは、更新部２８２ｃから入力された削除可能端末情報に基づいて削除可能端末リストを生成し、端末装置１ａに通知する（ＳＴ５０３）。
【０１５３】
更新部２８２ｃは、端末装置１ａから取得した削除端末選択情報（ＳＴ５０４））に基づいて、ユーザ機器情報記憶部２２１２ｃに記憶された機器情報を更新する。更新部２８２ｃは、更新が完了すると更新完了通知生成依頼を通知生成部２８３ｃに出力する。通知生成部２８３ｃは、更新部２８２ｃから更新完了通知生成依頼が入力されると、更新完了通知を生成し、端末装置１ａに通知する（ＳＴ５０５）。
【０１５４】
なお、本実施形態において、グループ管理部２８ｃの端末装置種別判定部２８４ｃは、主たる端末装置からの削除要求か否かを判定しているが、本発明はこれに限定されない。端末装置種別判定部２８４ｃは、記憶部２２ｃが記憶するユーザ機器情報に基づいて、ユーザに関連づけられた機器情報か否かを判定し、ユーザに関連づけられた機器情報を有する端末装置からの接続である場合、ユーザに関連づけられた端末装置の機器情報を削除するとしてもよい。
【０１５５】
このように、本実施形態よれば、機器情報取得部２１ｂは、在籍ユーザの端末装置１ａの機器情報を取得する。記憶部２２ｃは、在籍ユーザに関連づけられた機器情報と在籍ユーザに関連づけられたグループ情報とを記憶する。グループ参加登録部２５ａ在籍ユーザの端末装置の機器情報と、在籍ユーザに関連づけられた機器情報とに基づいて、参加ユーザのグループへの参加登録依頼を許可する。
【０１５６】
これにより、ユーザの参加登録を安全に行うことができる。また、参加ユーザを複雑な手続きなしに簡単にグループに参加登録することができる。さらに、在籍ユーザの端末装置１ａを用いることで、セキュアに参加ユーザのグループへの参加登録を行うことができる。
【０１５７】
グループ参加登録部２５ａは、参加判定部２５２ａと参加登録部２５５をさらに備える。参加判定部２５２ａは、在籍ユーザの端末装置から参加登録依頼が通知されると、在籍ユーザの端末装置の機器情報と、在籍ユーザに関連づけられた機器情報とに基づいて、在籍ユーザに関連づけられた機器情報からの参加登録依頼か否かを判定する。参加登録部２５５は、参加判定部２５２ａの参加を許可する判定結果と、参加ユーザのアカウント情報とに基づいて、参加ユーザのグループへの参加を登録する。
【０１５８】
これにより、在籍ユーザの端末装置１ａを用いて参加ユーザのグループへの参加登録を行うことで、参加ユーザの参加登録を安全に行うことができる。また、参加ユーザを複雑な手続きなしに簡単にグループに参加登録することができる。
【０１５９】
管理サーバ装置２ｃは、更新部２８２ｃをさらに備える。グループ機器情報は、グループと在籍ユーザが関連付けられたグループユーザ情報と、ユーザと当該ユーザが利用した端末装置の機器情報とが関連付けられたユーザ機器情報とを含み、ユーザ機器情報で複数のユーザに関連づけられている機器情報であって、更新部２８２ｃは、当該複数のユーザが関連づけられている機器情報が示す端末装置を複数ユーザの共有端末装置として、記憶部２２ｃが記憶するユーザ機器情報を更新する。
【０１６０】
これにより、在籍ユーザの端末装置１を用いて参加ユーザのグループへの参加登録を行うことで、参加ユーザの参加登録を安全に行うことができる。また、参加ユーザを複雑な手続きなしに簡単にグループに参加登録することができる。また、参加ユーザの端末装置の機器情報を登録することで、グループに属するユーザの端末装置を特定することができ、他ユーザへのなりすましを防止することができる。また、ユーザの使用端末が増加した場合においても、複雑な手続きなしに、機器情報をグループに登録することができる。また、複数ユーザに関連づけられた共有端末装置を識別することができ、グループのサービスを安全に提供することができる。
【０１６１】
管理サーバ装置２ｃは、端末装置種別判定部２８４ｃと更新部２８２ｃとをさらに備える。端末装置種別判定部２８４ｃは、端末装置１ａから通知された端末情報削除要求と、端末装置１ａの機器情報とに基づき、記憶部２２ｃに記憶された端末装置から取得した端末情報削除要求か否かを判定する。更新部２８２ｃは、端末情報削除要求と、削除対象の端末装置を示す削除端末選択情報とに基づき、該削除対象の端末装置の機器情報を記憶部２２ｃから削除する。
【０１６２】
これにより、在籍ユーザの端末装置１ａを用いて在籍ユーザに関連づけて登録された機器情報を安全に削除することができる。また、機器情報を安全に削除することで、登録済みの端末装置を紛失した場合などにおいても、安全にグループサービスを提供することができる。また、在籍ユーザの機器情報を複雑な手続きなしに簡単にグループから削除することができる。
【０１６３】
（第５の実施形態）
以下、図面を参照しながら本発明の第５の実施形態について詳しく説明する。
第１の実施形態は、グループに参加しようとしている参加ユーザのグループへの参加登録を行う場合について説明をした。本実施形態では、グループに既に参加している在籍ユーザが属するグループから該在籍ユーザの情報を削除する場合について説明をする。
【０１６４】
図２５は、本実施形態に係る端末装置１ｂの構成の一例を示す概略ブロック図である。
端末装置１ｂは、送受信アンテナ１０１と、通信部１０２と、機器情報記憶部１０３と、入力部１０４と、出力部１０５と、制御部１１ｂとを含んで構成される。端末装置１ｂは、その他、端末装置の一般的な公知の機能を有するが、説明および図示は省略する。
本実施形態における端末装置１ｂの構成と、第１の実施形態における端末装置１ａの構成とを比較すると、グループ生成依頼部１１２と、参加者登録依頼部１１３とが削除され、新たにユーザ情報削除要求部１１５ｂが追加されている。その他の構成は、第１の実施形態におる端末装置１ａの構成と同様であるので、説明は省略する。
【０１６５】
制御部１１ｂは、通信部１０２から通信情報が入力されると、表示情報を生成する。制御部１１ｂは、生成した表示情報を出力部１０５に出力する。制御部１１ｂは、機器情報記憶部１０３から機器情報を読み出す。ここで、機器情報とは、例えば、機器ＩＤ、機器に搭載されたＩＣ（Ｉｎｔｅｇｒａｔｅｄ  Ｃｉｒｃｕｉｔ：集積回路）カードの識別情報、機器の製造番号情報などのことである。制御部１１ｂは、読み出した機器情報を通信部１０２に出力する。制御部１１ｂは、入力部１０４からユーザ操作情報が入力されると、通信情報を生成する。制御部１１ｂは、生成した通信情報を通信部１０２に出力する。通信情報は、例えば、ユーザ認証要求、ユーザ情報削除要求などのことである。
【０１６６】
制御部１１ｂは、ユーザ認証要求部１１１と、ユーザ情報削除要求部１１５ｂとを含んで構成される。
ユーザ認証要求部１１１は、入力部１０４からユーザ操作情報が入力されると、ユーザ認証要求を生成する。ユーザ認証要求部１１１は、生成したユーザ認証要求を通信部１０２に出力する。ユーザ認証要求部１１１は、通信部１０２から入力依頼が入力されると、ユーザＩＤおよびパスワードの入力を要求する表示情報を出力部１０５に出力する。
【０１６７】
ユーザ情報削除要求部１１５ｂは、入力部１０４からユーザ操作情報が入力されると、ユーザ情報削除要求を生成する。ユーザ情報削除要求部１１５ｂは、生成したユーザ情報削除要求を通信部１０２に出力する。ユーザ情報削除要求部１１５ｂは、通信部１０２から削除可能グループリストが入力されると、該削除可能グループリストを出力部１０５に出力する。入力部１０４は、ユーザから削除対象のグループを示す削除グループ選択情報を取得する。入力部１０４は、取得した削除グループ選択情報を通信部１０２に出力する。
【０１６８】
図２６は、本実施形態に係る管理サーバ装置２ｄの構成の一例を示すブロック図である。
管理サーバ装置２ｄは、受信部２０ｄと、機器情報取得部２１ｂと、記憶部２２ｃと、ユーザ登録部２３と、グループ生成部２４と、グループ参加登録部２５と、サービス提供部２６と、送信部２７ｄと、グループ管理部２８ｄとを含んで構成される。管理サーバ装置２ｃは、その他、一般的な公知のサーバ装置の機能を備えるが図示および説明は省略する。
【０１６９】
本実施形態における管理サーバ装置２ｄの構成と、第１の実施形態における管理サーバ装置２の構成とを比較すると、受信部２０ｄと、機器情報取得部２１ｂと、記憶部２２ｃと、送信部２７ｄと、グループ管理部２８ｄとが異なる。その他の構成は、第１の実施形態における管理サーバ装置２の構成と同様であるので、説明は省略する。また、本実施形態における機器情報取得部２１ｂの構成は、第３の実施形態における機器情報取得部２１ｂの構成と同様であるので、説明は省略する。また、本実施形態における記憶部２２ｃの構成は、第４の実施形態における記憶部２２ｃの構成と同様であるので、説明は省略する。
【０１７０】
受信部２０ｄは、復調、復号化、周波数変換、無線波によるデータの受信などの通信処理を行う。受信部２０ｄは、ネットワークＮ１と有線または無線を介して接続する。受信部２０ｄは、ネットワークＮ１を介して、端末装置１ａｂから機器情報を受信する。受信部２０ｄは、受信した機器情報を機器情報取得部２１ｂに出力する。受信部２０ｄは、ネットワークＮ１を介して、端末装置１ａｂから受信したユーザ認証要求をユーザ登録部２３、グループ生成部２４に出力する。
【０１７１】
受信部２０ｄは、ネットワークＮ１を介して、端末装置１ａｂから受信したユーザ登録依頼をユーザ登録部２３に出力する。受信部２０ｄは、端末装置１ａｂから受信したグループ生成依頼をグループ生成部２４に出力する。受信部２０ｄは、端末装置１ａｂから受信したグループ選択情報をグループ参加登録部２５に出力する。受信部２０ｄは、端末装置１ａｂから受信した参加者登録依頼をグループ参加登録部２５に出力する。
【０１７２】
受信部２０ｄは、ネットワークＮ１を介して、端末装置１ａｂから受信したユーザ情報削除要求をグループ管理部２８ｄに出力する。受信部２０ｄは、端末装置１ａｂから受信した削除グループ選択情報をグループ管理部２８ｄに出力する。
【０１７３】
グループ管理部２８ｄは、機器情報取得部２１ｂから入力された機器情報に基づいて、ユーザが関連付けられた機器情報、ユーザＩＤ、主たる端末装置か否かの情報を記憶部２２ｃから読み出す。グループ管理部２８ｄは、読み出した機器情報とユーザＩＤと主たる端末装置か否かの情報に基づいて、該ユーザの端末装置のグループ情報が削除可能か否かを判定する。グループ管理部２８ｄは、該判定結果と機器情報取得部２１ｂから入力された機器情報と、受信部２０ｄから入力されたユーザ情報削除要求に基づいて削除可能グループリストを送信部２７ｄに出力する。グループ管理部２８ｄは、受信部２０ｄから削除グループ選択情報が入力されると、グループから該ユーザＩＤを記憶部２２ｃから削除し、グループユーザ情報記憶部２２２のグループユーザ情報を更新する。グループ管理部２８ｄは、更新が完了すると更新完了通知を生成する。グループ管理部２８ｄは、生成した更新完了通知を送信部２７ｄに出力する。グループ管理部２８ｄの詳細な説明は、後述する。
【０１７４】
送信部２７ｄは、変調、符号化、周波数変換、無線波によるデータの送信などの通信処理を行う。送信部２７ｄは、ネットワークＮ１と有線または無線を介して接続する。送信部２７ｄは、ユーザ登録部２３から入力された入力依頼を、ネットワークＮ１を介して、入力依頼を端末装置１ａｂに送信する。送信部２７ｄは、ユーザ登録部２３から入力された更新完了通知を、ネットワークＮ１を介して、端末装置１ａｂに送信する。送信部２７ｄは、グループ生成部２４から入力されたグループ生成完了通知を、ネットワークＮ１を介して、端末装置１ａｂに送信する。
【０１７５】
送信部２７ｄは、グループ参加登録部２５から入力された候補グループ情報を、ネットワークＮ１を介して、端末装置１ａｂに送信する。送信部２７ｄは、グループ参加登録部２５から入力されたグループ参加登録完了通知を、ネットワークＮ１を介して、端末装置１ａｂに送信する。送信部２７ｄは、サービス提供部２６から入力されたサービス情報を、ネットワークＮ１を介して、端末装置１ａに送信する。送信部２７ｄは、グループ管理部２８ｄから入力された削除可能グループリストを、ネットワークＮ１を介して、端末装置１ａｂに送信する。
【０１７６】
図２７は、本実施形態に係るグループ管理部２８ｄの構成の一例を示す概略ブロック図である。
グループ管理部２８ｄは、情報取得部２８１ｂと、更新部２８２ｄと、通知生成部２８３ｄと、端末装置種別判定部２８４ｄとを含んで構成される。
【０１７７】
情報取得部２８１ｄは、機器情報取得部２１ｂから機器情報が入力されると、グループユーザ情報記憶部２２２からグループＩＤに関連づけられたユーザＩＤを読み出し、該ユーザＩＤに関連づけられた全てのグループ情報を読み出す。情報取得部２８１ｄは、読み出したグループ情報を、更新部２８２ｄに出力する。
端末装置種別判定部２８４ｄは、受信部２０ｄから入力されたユーザ情報削除要求と、機器情報取得部２１ｂから入力された機器情報と、ユーザ機器情報記憶部２２１２ｃから読み出したユーザ機器情報とに基づき、主たる端末装置から送信されたユーザ情報削除要求か否かを判定する。
【０１７８】
主たる端末装置から送信されたユーザ情報削除要求である場合、端末装置種別判定部２８４ｄは、削除処理許可通知を更新部２８２ｄに出力する。一方、主たる端末装置から送信されたユーザ情報削除要求でない場合、端末装置種別判定部２８４ｄは、ユーザ情報削除要求を受け付けない。
なお、本実施形態において、端末装置種別判定部２８４ｄは、主たる端末装置から送信されたユーザ情報削除要求否かを判定しているが、本発明は、これに限定されない。その場合、端末装置種別判定部２８４ｄは、ユーザに関連づいた端末装置であるか否かを判定し、ユーザに関連づいた端末装置であれば、任意のユーザを削除可能とするユーザ情報削除要求を更新部２８２ｄに出力すればよい。
【０１７９】
更新部２８２ｄは、情報取得部２８１ｂから入力されたユーザＩＤに関連づけられた全てのグループ情報と、端末装置種別判定部２８４ｄから入力された削除処理許可通知に基づき、削除可能グループ情報を通知生成部２８３ｄに出力する。更新部２８２ｄは、受信部２０ｄから入力された削除グループ選択情報に基づいて、グループユーザ情報記憶部２２２に記憶されたグループユーザ情報を更新する。更新部２８２ｄは、更新が完了すると更新完了通知生成依頼を通知生成部２８３ｄに出力する。
【０１８０】
通知生成部２８３ｄは、更新部２８２ｄから入力された削除可能グループ情報に基づいて削除可能グループリストを生成し、送信部２７ｄに出力する。通知生成部２８３ｄは、更新部２８２ｄから更新完了通知生成依頼が入力されると、更新完了通知を生成し、送信部２７ｂ出力する。
【０１８１】
図２８は、本実施形態に係るグループ管理部２８ｄの動作の一例を示すシーケンス図である。
情報取得部２８１ｄは、機器情報取得部２１ｂから機器情報を取得する（ＳＴ６０１）。端末装置種別判定部２８４ｄは、ユーザ装置削除要求を取得する（ＳＴ６０２）。情報取得部２８１ｄは、グループユーザ情報記憶部２２２からグループユーザ情報を読み出し、該ユーザＩＤに関連づけられた全てのグループ情報を読み出す。情報取得部２８１ｄは、読み出したグループユーザ情報を、更新部２８２ｄに出力する。
端末装置種別判定部２８４ｄは、ユーザ情報削除要求と、取得した機器情報と、ユーザ機器情報記憶部２２１２ｃから読み出したユーザ機器情報とに基づき、主たる端末装置から送信されたユーザ情報削除要求か否かを判定する。主たる端末装置から送信されたユーザ情報削除要求である場合、端末装置種別判定部２８４ｄは、削除処理許可通知を更新部２８２ｄに出力する。
【０１８２】
更新部２８２ｄは、情報取得部２８１ｄから入力されたユーザＩＤに関連づけられた全てのグループ情報と、端末装置種別判定部２８４ｄから入力された削除処理許可通知に基づき、削除可能グループ情報を通知生成部２８３ｄに出力する。通知生成部２８３ｄは、更新部２８２ｄから入力された削除可能グループ情報に基づいて削除可能グループリストを生成し、端末装置１ｂに通知する（ＳＴ６０３）。
【０１８３】
更新部２８２ｄは、端末装置１ｂから取得した削除グループ選択情報（ＳＴ６０４））に基づいて、グループユーザ情報記憶部２２２に記憶されたグループユーザ情報を更新する。更新部２８２ｄは、更新が完了すると更新完了通知生成依頼を通知生成部２８３ｄに出力する。通知生成部２８３ｄは、更新部２８２ｄから更新完了通知生成依頼が入力されると、更新完了通知を生成し、端末装置１ｂに通知する（ＳＴ６０５）。
【０１８４】
このように、本実施形態よれば、機器情報取得部２１ｂは、在籍ユーザの端末装置１ｂの機器情報を取得する。記憶部２２ｃは、在籍ユーザに関連づけられた機器情報と在籍ユーザに関連づけられたグループ情報とを記憶する。グループ参加登録部２５ａ在籍ユーザの端末装置の機器情報と、在籍ユーザに関連づけられた機器情報とに基づいて、参加ユーザのグループへの参加登録依頼を許可する。
【０１８５】
これにより、ユーザの参加登録を安全に行うことができる。また、参加ユーザを複雑な手続きなしに簡単にグループに参加登録することができる。
【０１８６】
グループ参加登録部２５ａは、参加判定部２５２ａと参加登録部２５５をさらに備える。参加判定部２５２ａは、在籍ユーザの端末装置から参加登録依頼が通知されると、在籍ユーザの端末装置の機器情報と、在籍ユーザに関連づけられた機器情報とに基づいて、在籍ユーザに関連づけられた機器情報からの参加登録依頼か否かを判定する。参加登録部２５５は、参加判定部２５２ａの参加を許可する判定結果と、参加ユーザのアカウント情報とに基づいて、参加ユーザのグループへの参加を登録する。
【０１８７】
これにより、在籍ユーザの端末装置１ｂを用いて参加ユーザのグループへの参加登録を行うことで、参加ユーザの参加登録を安全に行うことができる。また、参加ユーザを複雑な手続きなしに簡単にグループに参加登録することができる。
【０１８８】
管理サーバ装置２ｄは、更新部２８２ｄをさらに備える。グループ機器情報は、グループと在籍ユーザが関連付けられたグループユーザ情報と、ユーザと当該ユーザが利用した端末装置の機器情報とが関連付けられたユーザ機器情報とを含み、ユーザ機器情報で複数のユーザに関連づけられている機器情報であって、更新部２８２ｄは、当該複数のユーザが関連づけられている機器情報が示す端末装置を複数ユーザの共有端末装置として、記憶部２２ｃが記憶するユーザ機器情報を更新する。
【０１８９】
これにより、在籍ユーザの端末装置１ｂを用いて参加ユーザのグループへの参加登録を行うことで、参加ユーザの参加登録を安全に行うことができる。また、参加ユーザを複雑な手続きなしに簡単にグループに参加登録することができる。また、参加ユーザの端末装置の機器情報を登録することで、グループに属するユーザの端末装置を特定することができ、他ユーザへのなりすましを防止することができる。また、ユーザの使用端末が増加した場合においても、複雑な手続きなしに、機器情報をグループに登録することができる。また、複数ユーザに関連づけられた共有端末装置を識別することができ、グループのサービスを安全に提供することができる。
【０１９０】
管理サーバ装置２ｄは、端末装置種別判定部２８４ｄと更新部２８２ｄとをさらに備える。端末装置種別判定部２８４ｄは、端末装置１ｂから通知されたユーザ情報削除要求と、端末装置１ｂの機器情報とに基づき、記憶部２２ｃに記憶された端末装置から取得した端末情報削除要求か否かを判定する。更新部２８２ｄは、ユーザ情報削除要求と、削除対象のグループを示す削除グループ選択情報とに基づき、該削除対象のグループ情報を記憶部２２ｃから削除する。
【０１９１】
これにより、在籍ユーザの端末装置１ｂを用いて在籍ユーザに関連づけて登録されたグループから該在籍ユーザの情報を安全に削除することができる。
【０１９２】
なお、各実施形態において、記憶部は、ユーザと機器情報とを関連付けて記憶すると記載しているが、グループ情報と機器情報を、各々関連づけて記憶してもよい。この場合、グループ機器情報記憶部２２３が記憶するグループ情報とユーザを関連付けたグループユーザ情報の一例を示すテーブルＴ５を、図２９に示す。
【０１９３】
図２９は、各実施形態に係るグループ機器情報記憶部２２３が記憶するグループ機器情報テーブルＴ５の一例を示すテーブルである。
図示するように、グループ機器情報テーブルＴ５は、グループＩＤ、および機器情報、の各項目の列を有している。グループ機器情報テーブルＴ５は、グループＩＤ毎に機器情報が格納される行と列からなる２次元の表形式のデータである。
例えば、１行目のグループＩＤ「ｇ００１」には機器情報「ｄ１２３４」が関連付けられて格納されている。
【０１９４】
なお、上述した実施形態における端末装置、管理サーバ装置の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、端末装置、管理サーバ装置に内蔵されたコンピュータシステムであって、ＯＳや周辺機器等のハードウェアを含むものとする。
【０１９５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
【０１９６】
また上記プログラムは、前述した機能の一部を実現するためのものであっても良く、さらに前述した機能をコンピュータシステムにすでに記録されているプログラムとの組み合わせで実現できるものであっても良い。
【０１９７】
また、上述した実施形態における端末装置、管理サーバ装置の一部、または全部を、ＬＳＩ（Ｌａｒｇｅ  Ｓｃａｌｅ  Ｉｎｔｅｇｒａｔｉｏｎ）等の集積回路として実現しても良い。端末装置、管理サーバ装置の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【０１９８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１９９】
Ｎ１  ネットワーク
１、１ａ、１ｂ  端末装置
２、２ａ、２ｂ、２ｃ  管理サーバ装置
ホーム基地局装置  Ｄ１  表示装置
Ｄ２  ゲーム機
Ｄ３  レコーダ
Ｄ４  パーソナルコンピュータ
１０１  送受信アンテナ
１０２  通信部
１０３  機器情報記憶部
１０４  入力部
１０５  出力部
１１、１１ａ、１１ｂ  制御部
１１１  ユーザ認証要求部
１１２  グループ生成依頼部
１１３  参加者登録依頼部
１１４ａ  端末情報削除要求部
１１５ｂ  ユーザ情報削除要求部
２０、２０ｃ、２０ｄ  受信部
２１、２１ｂ  機器情報取得部
２２、２２ｃ  記憶部
２２１、２２１ｃ  ユーザ情報記憶部
２２１１  アカウント情報記憶部
２２１２、２２１２ｃ  ユーザ機器情報記憶部
２２２  グループユーザ情報記憶部
２２３  グループ機器情報記憶部
ユーザ登録部グループ生成部  ２４１  在籍ユーザ認証部
２４２  生成部
２４３  通知生成部
２５、２５ａ  グループ参加登録部
２５１  在籍ユーザ認証部
２５２、２５２ａ  参加判定部
２５３  グループ情報取得部
２５４  参加ユーザ認証部
２５５  参加登録部
２５６  通知生成部
２６、２６ｂ  サービス提供部
２６１、２６１ｂ  ユーザ認証部
２６２、２６２ｂ  グループ認証部
２６３、２６３ｂ  提供部
２６４ｂ  制限部
２７、２７ｂ、２７ｃ、２７ｄ  送信部
２８ｂ、２８ｃ、２８ｄ  グループ管理部
２８１ｂ  情報取得部
２８２ｂ、２８２ｃ、２８２ｄ  更新部
２８３ｂ、２８３ｃ、２８３ｄ  通知生成部
２８４ｃ、２８４ｄ  端末装置種別判定部
【図１】
2014071874.tif 000003
【図２】
2014071874.tif 000004
【図３】
2014071874.tif 000005
【図４】
2014071874.tif 000006
【図５】
2014071874.tif 000007
【図６】
2014071874.tif 000008
【図７】
2014071874.tif 000009
【図８】
2014071874.tif 000010
【図９】
2014071874.tif 000011
【図１０】
2014071874.tif 000012
【図１１】
2014071874.tif 000013
【図１２】
2014071874.tif 000014
【図１３】
2014071874.tif 000015
【図１４】
2014071874.tif 000016
【図１５】
2014071874.tif 000017
【図１６】
2014071874.tif 000018
【図１７】
2014071874.tif 000019
【図１８】
2014071874.tif 000020
【図１９】
2014071874.tif 000021
【図２０】
2014071874.tif 000022
【図２１】
2014071874.tif 000023
【図２２】
2014071874.tif 000024
【図２３】
2014071874.tif 000025
【図２４】
2014071874.tif 000026
【図２５】
2014071874.tif 000027
【図２６】
2014071874.tif 000028
【図２７】
2014071874.tif 000029
【図２８】
2014071874.tif 000030
【図２９】
2014071874.tif 000031